(57)【要約】  本開示の態様は、送信デバイスによって送信されたワイヤレス信号の到来角情報を推定するとき、送信された信号中のサイクリックシフト遅延（ＣＳＤ：cyclic shift delay）を補償し得る。いくつかの態様では、受信デバイスが、ワイヤレス信号中のＣＳＤの存在を決定することと、ＣＳＤの存在に少なくとも部分的に基づいてワイヤレス信号の到来角を推定することとを行い得る。たとえば、受信デバイスは、ＣＳＤに少なくとも部分的に基づいてワイヤレスチャネルの第１のタップを決定することを行い得る。受信デバイスは、次いで、ワイヤレスチャネルの第１のタップに基づいて、受信デバイスの複数のアンテナ間のワイヤレス信号の位相差を決定することを行い得る。受信デバイスは、位相差に基づいてワイヤレス信号の到来角を推定することを行い得る。
2018538734.tif 000002
【特許請求の範囲】
【請求項１】
受信デバイスにおいて受信されたワイヤレス信号の角度情報を決定する方法であって、前記方法が、
ワイヤレスチャネル上で送信デバイスから前記ワイヤレス信号を受信することと、
前記ワイヤレス信号中のサイクリックシフトダイバーシティ（ＣＳＤ）の存在を決定することと、
ＣＳＤの前記存在に少なくとも部分的に基づいて前記ワイヤレス信号の到来角を推定することと
を備える方法。
【請求項２】
前記推定することが、
前記ＣＳＤに少なくとも部分的に基づいて前記ワイヤレスチャネルの第１のタップを決定することと、
前記ワイヤレスチャネルの前記第１のタップに基づいて、前記受信デバイスの複数のアンテナ間の前記ワイヤレス信号の位相差を決定することと
をさらに備える、請求項１に記載の方法。
【請求項３】
前記決定することが、
前記ワイヤレス信号中のＣＳＤインジケータまたはＣＳＤフォーマット情報の存在を検出すること
を備える、請求項１に記載の方法。
【請求項４】
前記ＣＳＤフォーマット情報が、前記ワイヤレス信号を送信するために使用される送信アンテナの数またはＣＳＤ値のうちの少なくとも１つを示す、請求項３に記載の方法。
【請求項５】
前記ＣＳＤインジケータが、前記ワイヤレス信号に関連するフレームのプリアンブル、ミッドアンブル、ポストアンブル、またはヘッダのうちの少なくとも１つ内に埋め込まれる、請求項３に記載の方法。
【請求項６】
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、請求項３に記載の方法。
【請求項７】
前記ＣＳＤインジケータと前記ＣＳＤフォーマット情報とが、前記ワイヤレス信号に関連するフレームの同じフィールドまたはヘッダ内に埋め込まれる、請求項３に記載の方法。
【請求項８】
前記ＣＳＤインジケータと前記ＣＳＤフォーマット情報とが、前記ワイヤレス信号に関連するフレームの異なるフィールドまたは異なるヘッダ内に埋め込まれる、請求項３に記載の方法。
【請求項９】
前記ワイヤレス信号が、ＣＳＤなしに送信されるポストアンブルを含むパケットを備え、前記到来角を推定することが、前記ポストアンブルにさらに基づく、請求項１に記載の方法。
【請求項１０】
受信デバイスであって、
１つまたは複数のプロセッサと、
前記１つまたは複数のプロセッサによって実行されたとき、前記受信デバイスに、
ワイヤレスチャネル上で送信デバイスからワイヤレス信号を受信することと、
前記ワイヤレス信号中のサイクリックシフトダイバーシティ（ＣＳＤ）の存在を決定することと、
ＣＳＤの前記存在に少なくとも部分的に基づいて前記ワイヤレス信号の到来角を推定することと
を行わせる命令を記憶するように構成されたメモリと
を備える、受信デバイス。
【請求項１１】
前記到来角を推定することを行うための前記命令の実行が、前記受信デバイスに、
前記ＣＳＤに少なくとも部分的に基づいて前記ワイヤレスチャネルの第１のタップを決定することと、
前記ワイヤレスチャネルの前記第１のタップに基づいて、前記受信デバイスの複数のアンテナ間の前記ワイヤレス信号の位相差を決定することと
をさらに行わせる、請求項１０に記載の受信デバイス。
【請求項１２】
前記ワイヤレス信号中のＣＳＤの前記存在を決定することを行うための前記命令の実行が、前記受信デバイスに、
前記受信されたワイヤレス信号中のＣＳＤインジケータまたはＣＳＤフォーマット情報の存在を検出すること
を行わせる、請求項１０に記載の受信デバイス。
【請求項１３】
前記ＣＳＤフォーマット情報が、前記ワイヤレス信号を送信するために使用される送信アンテナの数またはＣＳＤ値のうちの少なくとも１つを示す、請求項１２に記載の受信デバイス。
【請求項１４】
前記ＣＳＤインジケータが、前記ワイヤレス信号に関連するフレームのプリアンブル、ミッドアンブル、ポストアンブル、またはヘッダのうちの少なくとも１つ内に埋め込まれる、請求項１２に記載の受信デバイス。
【請求項１５】
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、請求項１２に記載の受信デバイス。
【請求項１６】
前記ＣＳＤインジケータと前記ＣＳＤフォーマット情報とが、前記ワイヤレス信号に関連するフレームの同じフィールドまたはヘッダ内に埋め込まれる、請求項１２に記載の受信デバイス。
【請求項１７】
前記ＣＳＤインジケータと前記ＣＳＤフォーマット情報とが、前記ワイヤレス信号に関連するフレームの異なるフィールドまたは異なるヘッダ内に埋め込まれる、請求項１２に記載の受信デバイス。
【請求項１８】
前記ワイヤレス信号が、ＣＳＤなしに送信されるポストアンブルを含むパケットを備え、前記到来角を推定することが、前記ポストアンブルにさらに基づく、請求項１０に記載の受信デバイス。
【請求項１９】
命令を備える非一時的コンピュータ可読媒体であって、前記命令が、受信デバイスの１つまたは複数のプロセッサによって実行されたとき、前記受信デバイスに、
ワイヤレスチャネル上で送信デバイスからワイヤレス信号を受信することと、
前記ワイヤレス信号中のサイクリックシフトダイバーシティ（ＣＳＤ）の存在を決定することと、
ＣＳＤの前記存在に少なくとも部分的に基づいて前記ワイヤレス信号の到来角を推定することと
を備える動作を実施させる、非一時的コンピュータ可読媒体。
【請求項２０】
前記到来角を推定することを行うための前記命令の実行が、前記受信デバイスに、
前記ＣＳＤに少なくとも部分的に基づいて前記ワイヤレスチャネルの第１のタップを決定することと、
前記ワイヤレスチャネルの前記第１のタップに基づいて、前記受信デバイスの複数のアンテナ間の前記ワイヤレス信号の位相差を決定することと
を備える動作をさらに実施させる、請求項１９に記載の非一時的コンピュータ可読媒体。
【請求項２１】
前記ワイヤレス信号中のＣＳＤの前記存在を決定することを行うための前記命令の実行が、前記受信デバイスに、
前記ワイヤレス信号中のＣＳＤインジケータまたはＣＳＤフォーマット情報の存在を検出すること
を備える動作を実施させる、請求項１９に記載の非一時的コンピュータ可読媒体。
【請求項２２】
前記ＣＳＤフォーマット情報が、前記ワイヤレス信号を送信するために使用される送信アンテナの数またはＣＳＤ値のうちの少なくとも１つを示す、請求項２１に記載の非一時的コンピュータ可読媒体。
【請求項２３】
前記ＣＳＤインジケータが、前記ワイヤレス信号に関連するフレームのプリアンブル、ミッドアンブル、ポストアンブル、またはヘッダのうちの少なくとも１つ内に埋め込まれる、請求項２１に記載の非一時的コンピュータ可読媒体。
【請求項２４】
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、請求項２１に記載の非一時的コンピュータ可読媒体。
【請求項２５】
前記ワイヤレス信号が、ＣＳＤなしに送信されるポストアンブルを含むパケットを備え、前記到来角を推定することが、前記ポストアンブルにさらに基づく、請求項１９に記載の非一時的コンピュータ可読媒体。
【請求項２６】
ワイヤレスチャネル上で送信デバイスからワイヤレス信号を受信するための手段と、
前記ワイヤレス信号中のサイクリックシフトダイバーシティ（ＣＳＤ）の存在を決定するための手段と、
ＣＳＤの前記存在に少なくとも部分的に基づいて前記ワイヤレス信号の到来角を推定するための手段と
を備える、受信デバイス。
【請求項２７】
前記ワイヤレス信号の前記到来角を推定するための前記手段が、
前記ＣＳＤに少なくとも部分的に基づいて前記ワイヤレスチャネルの第１のタップを決定するための手段と、
前記ワイヤレスチャネルの前記第１のタップに基づいて、前記受信デバイスの複数のアンテナ間の位相差を決定するための手段と
を備える、請求項２６に記載の受信デバイス。
【請求項２８】
前記ワイヤレス信号中のＣＳＤの前記存在を決定するための前記手段が、
前記受信されたワイヤレス信号中のＣＳＤインジケータまたはＣＳＤフォーマット情報の存在を検出するための手段
を備える、請求項２６に記載の受信デバイス。
【請求項２９】
前記ＣＳＤフォーマット情報が、前記ワイヤレス信号を送信するために使用される送信アンテナの数またはＣＳＤ値のうちの少なくとも１つを示す、請求項２８に記載の受信デバイス。
【請求項３０】
前記ワイヤレス信号が、ＣＳＤなしに送信されるポストアンブルを含むパケットを備え、前記到来角を推定することが、前記ポストアンブルにさらに基づく、請求項２６に記載の受信デバイス。
【発明の詳細な説明】
【技術分野】
【０００１】
[0001]本開示の態様は、一般にワイヤレスネットワークに関し、詳細には、ワイヤレスネットワークにおける信号の到来角および離脱角を推定することに関する。
【背景技術】
【０００２】
[0002]デバイス間で送信されるワイヤレス信号の到来角（ＡｏＡ：angle of arrival）情報および離脱角（ＡｏＤ：angle of departure）情報が推定され、その後、デバイスの相対位置および配向を決定するために使用され得る。たとえば、信号は、第２のデバイスから第１のデバイスによって受信され得、第１のデバイスは、第２のデバイスに関する方位線（line of bearing）を決定するために、受信された信号のＡｏＡ情報および／またはＡｏＤ情報を使用し得る。第２のデバイスのロケーションおよび配向が知られている場合、第１のデバイスは、第２のデバイスに対するそれの位置および配向を決定し得る。
【０００３】
[0003]ＡｏＡ情報およびＡｏＤ情報を推定することは受動測位技法である（たとえば、第１のデバイスは第２のデバイスに信号を送信する必要がない）ので、第１のデバイスは、（たとえば、ファインタイミング測定（ＦＴＭ：fine timing measurement）フレームを使用する能動測距動作などの）能動測位動作を実施するデバイスと比較してより少ない電力および帯域幅を消費し得る。さらに、ＡｏＡ情報およびＡｏＤ情報を推定することに基づく受動測位動作は、到着時間（ＴＯＡ：time of arrival）情報または出発時間（ＴＯＤ：time of departure）情報をキャプチャすることなしに実施され得るので、受動測位動作の精度は、デバイス間のタイミング同期またはデバイスに関連する処理遅延に依存しない。
【０００４】
[0004]測位動作はワイヤレスネットワークにおけるデバイス位置特定およびトラッキングのためにますます重要になっているので、パフォーマンスを犠牲にすることなしに、推定されたＡｏＡ情報およびＡｏＤ情報の精度を改善することが望ましいであろう。
【発明の概要】
【０００５】
[0005]本発明の概要は、発明を実施するための形態において以下でさらに説明される概念の選択を簡略化された形で紹介するために与えられる。本発明の概要は、請求する主題の主要な特徴または本質的特徴を識別するものではなく、請求する主題の範囲を限定するものでもない。
【０００６】
[0006]到来角情報を推定するための装置および方法が本明細書で開示される。一態様では、方法が開示される。本方法は、受信デバイスによって実施され得、ワイヤレスチャネル上で送信デバイスからワイヤレス信号を受信することと、ワイヤレス信号中のサイクリックシフトダイバーシティ（ＣＳＤ：cyclic shift diversity）の存在を決定することと、ＣＳＤの存在に少なくとも部分的に基づいてワイヤレスの到来角を推定することとを含み得る。
【０００７】
[0007]別の態様では、受信デバイスが開示される。受信デバイスは、１つまたは複数のプロセッサとメモリとを含み得る。メモリは、１つまたは複数のプロセッサによって実行されたとき、受信デバイスに、ワイヤレスチャネル上で送信デバイスからワイヤレス信号を受信することと、ワイヤレス信号中のサイクリックシフトダイバーシティ（ＣＳＤ）の存在を決定することと、ＣＳＤの存在に少なくとも部分的に基づいてワイヤレス信号の到来角を推定することとを行わせる命令を含み得る。
【０００８】
[0008]別の態様では、非一時的コンピュータ可読媒体が開示される。本非一時的コンピュータ可読媒体は、受信デバイスによって実行されたとき、受信デバイスにいくつかの動作を実施させる命令を備え得る。いくつかの動作は、ワイヤレスチャネル上で送信デバイスからワイヤレス信号を受信することと、ワイヤレス信号中のサイクリックシフトダイバーシティ（ＣＳＤ）の存在を決定することと、ＣＳＤの存在に少なくとも部分的に基づいてワイヤレス信号の到来角を推定することとを含み得る。
【０００９】
[0009]別の態様では、受信デバイスが開示される。受信デバイスは、ワイヤレスチャネル上で送信デバイスからワイヤレス信号を受信するための手段と、ワイヤレス信号中のサイクリックシフトダイバーシティ（ＣＳＤ）の存在を決定するための手段と、ＣＳＤの存在に少なくとも部分的に基づいてワイヤレス信号の到来角を推定するための手段とを含み得る。
【００１０】
[0010]本開示の性質および利点のさらなる理解は、以下の図面を参照することによって実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【図面の簡単な説明】
【００１１】
【図１】[0011]本開示の態様が実装され得るワイヤレスシステムのブロック図。
【図２】[0012]本開示の態様による、ワイヤレスデバイスのブロック図。
【図３Ａ】[0013]受信デバイスの２つのアンテナによるワイヤレス信号の例示的な受信を示す図。
【図３Ｂ】[0014]送信デバイスの２つのアンテナから受信デバイスの単一のアンテナへのワイヤレス信号の例示的な送信を示す図。
【図３Ｃ】[0015]送信デバイスの２つのアンテナから受信デバイスの２つのアンテナへのワイヤレス信号の例示的な送信を示す図。
【図３Ｄ】[0016]図３Ｃに示されるワイヤレスチャネルの例示的なタップ付き遅延線モデルを示す図。
【図４Ａ】[0017]本開示の態様が実装され得る例示的なパケットを示す図。
【図４Ｂ】[0018]本開示の態様が実装され得る別の例示的なパケットを示す図。
【図５Ａ】[0019]本開示の態様が実装され得る例示的なフレームを示す図。
【図５Ｂ】[0020]本開示の態様が実装され得る超高スループット（ＶＨＴ：very high throughput）プリアンブルを示す図。
【図５Ｃ】[0021]本開示の態様が実装され得る高効率（ＨＥ：high efficiency）プリアンブルを示す図。
【図６】[0022]本開示の態様による、到来角情報を推定するための例示的な動作を示す例示的なフローチャート。
【図７】[0023]本開示の態様による、到来角情報を推定するための別の例示的な動作を示す例示的なフローチャート。
【図８】[0024]本開示の態様による、到来角情報を推定するためのまた別の例示的な動作を示す別の例示的なフローチャート。
【発明を実施するための形態】
【００１２】
[0025]本開示の態様は、単に簡単のために、ワイヤレスローカルエリアネットワーク（ＷＬＡＮ）において展開されるデバイスのための到来角（ＡｏＡ）情報および離脱角（ＡｏＤ）情報を推定することのコンテキストにおいて、以下で説明される。本開示の態様が、他のワイヤレスネットワーク（たとえば、セルラーネットワーク、パーソナルエリアネットワーク、ピコネットワーク、フェムトネットワーク、衛星ネットワーク）において展開されるデバイスのためのＡｏＡ情報および／またはＡｏＤ情報を推定することに等しく適用可能であることを理解されたい。本明細書で使用される「ＷＬＡＮ」および「Ｗｉ−Ｆｉ（登録商標）」という用語は、ＩＥＥＥ８０２．１１規格ファミリー、Ｂｌｕｅｔｏｏｔｈ（登録商標）、ＨｉｐｅｒＬＡＮ（主に欧州で使用される、ＩＥＥＥ８０２．１１規格に匹敵するワイヤレス規格のセット）、および比較的短い電波伝播距離を有する他の技術によって管理される通信を含み得る。したがって、「ＷＬＡＮ」および「Ｗｉ−Ｆｉ」という用語は、本明細書では互換的に使用され得る。さらに、ＡＰと複数のＳＴＡとを含むインフラストラクチャＷＬＡＮシステムに関して以下で説明されるが、本開示の態様は、たとえば、複数のＡＰを含むＷＬＡＮ、ピアツーピア（または独立基本サービスセット）システム、Ｗｉ−Ｆｉ  Ｄｉｒｅｃｔ（登録商標）システム、および／またはホットスポットを含む、他のＷＬＡＮシステムに等しく適用可能である。さらに、ワイヤレスデバイス間でデータパケットを交換することに関して本明細書で説明されるが、本開示の態様は、ワイヤレスデバイス間での任意のデータユニット、パケット、および／またはフレームの交換に適用され得る。したがって、「データパケット」という用語は、任意のフレーム、パケット、または、たとえば、プロトコルデータユニット（ＰＤＵ）、ＭＡＣプロトコルデータユニット（ＭＰＤＵ）、および物理レイヤコンバージェンスプロシージャプロトコルデータユニット（ＰＰＤＵ）などのデータユニットを含み得る。「Ａ−ＭＰＤＵ」という用語は、アグリゲートＭＰＤＵ（aggregated MPDU）を指すことがある。ＰＤＵおよび／またはＰＰＤＵは、たとえば、ＭＡＣサービスデータユニット（ＭＳＤＵ）またはＭＡＣフレームなど、カプセル化されたデータを含んでいることがある、物理レイヤ（ＰＨＹ）サービスデータユニット（ＰＳＤＵ）を含み得る。
【００１３】
[0026]さらに、本明細書で使用される「ＨＴ」という用語は、たとえば、ＩＥＥＥ８０２．１１ｎ規格によって定義される高スループットフレームフォーマットまたはプロトコルを指すことがあり、「ＶＨＴ」という用語は、たとえば、ＩＥＥＥ８０２．１１ａｃ規格によって定義される超高スループットフレームフォーマットまたはプロトコルを指すことがあり、「ＨＥ」という用語は、たとえば、ＩＥＥＥ８０２．１１ａｘ規格によって定義される高効率フレームフォーマットまたはプロトコルを指すことがあり、「非ＨＴ」という用語は、たとえば、ＩＥＥＥ８０２．１１ａ／ｇ規格によって定義されるレガシーフレームフォーマットまたはプロトコルを指すことがある。したがって、「レガシー」および「非ＨＴ」という用語は、本明細書では互換的に使用され得る。さらに、本明細書で使用される「レガシーデバイス」という用語は、ＩＥＥＥ８０２．１１ａ／ｇ規格に従って動作するデバイスを指すことがあり、本明細書で使用される「ＨＥデバイス」という用語は、ＩＥＥＥ８０２．１１ａｘ規格および／または８０２．１１ａｚ規格に従って動作するデバイスを指すことがある。
【００１４】
[0027]以下の説明では、本開示の完全な理解を与えるために、特定の構成要素、回路、およびプロセスの例など、多数の具体的な詳細が記載される。本明細書で使用される「結合された」という用語は、直接接続されていること、あるいは１つまたは複数の介在する構成要素または回路を通して接続されていることを意味する。本明細書で使用される「角度情報」という用語は、ＡｏＡ情報および／またはＡｏＤ情報を指すことがある。また、以下の説明では、説明のために、本開示の完全な理解を与えるために具体的な名称が記載される。ただし、これらの具体的な詳細は、例示的な実装形態を実施するために必要でないことがあることが、当業者には明らかであろう。他の事例では、本開示を不明瞭にしないように、よく知られている回路およびデバイスがブロック図の形式で示される。本開示は、本明細書で説明される具体的な例に限定されるものと解釈されるべきではなく、むしろ添付の特許請求の範囲によって規定されたすべての実装形態をそれらの範囲内に含む。
【００１５】
[0028]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載される態様をいくつ使用しても、装置は実装され得、または方法は実施され得る。さらに、本開示の範囲は、本明細書に記載される本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わせられ得る。また、いくつかの例に関して説明される特徴は、他の例において組み合わせられ得る。
【００１６】
[0029]ただし、これらおよび同様の用語はすべて、適切な物理量に関連付けられるべきものであり、これらの量に適用される便利なラベルにすぎないことに留意されたい。別段に明記されていない限り、以下の説明から明らかなように、本出願全体にわたって、「アクセスすること」、「受信すること」、「送ること」、「使用すること」、「選択すること」、「決定すること」、「正規化すること」、「乗算すること」、「平均化すること」、「監視すること」、「比較すること」、「適用すること」、「更新すること」、「測定すること」、「導出すること」などの用語を利用する説明は、コンピュータシステムのレジスタおよびメモリ内の物理（電子）量として表されるデータを操作し、コンピュータシステムのメモリあるいはレジスタあるいは他のそのような情報記憶、送信、または表示デバイス内の物理量として同様に表される他のデータに変換する、コンピュータシステムまたは同様の電子コンピューティングデバイスのアクションおよびプロセスを指すことを諒解されたい。
【００１７】
[0030]本明細書で使用される「決定すること」という用語は、多種多様なアクションを包含する。たとえば、「決定すること」は、計算すること（calculating）、算出すること（computing）、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、査定すること（たとえば、メモリ中のデータを査定すること）などを含み得る。また、「決定すること」は、解決すること、選択すること、選定すること、確立することなどを含み得る。また、「決定すること」は、測定すること、推定することなどを含み得る。
【００１８】
[0031]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じメンバーを含む任意のそのようなリスト（たとえば、ａａ、ｂｂ、またはｃｃを含む任意のリスト）を包含するものとする。
【００１９】
[0032]図では、単一のブロックは、１つまたは複数の機能を実施するものとして説明され得るが、実際には、そのブロックによって実施される１つまたは複数の機能は、単一の構成要素内で、または複数の構成要素にわたって実施され得、ならびに／あるいはハードウェアを使用するか、ソフトウェアを使用するか、またはハードウェアおよびソフトウェアの組合せを使用して実施され得る。ハードウェアとソフトウェアのこの互換性を明確に示すために、様々な例示的な構成要素、ブロック、モジュール、回路、およびステップが、概してそれらの機能に関して以下で説明される。そのような機能がハードウェアとして実装されるのかソフトウェアとして実装されるのかは、特定の適用例および全体的なシステムに課される設計制約に依存する。当業者は、説明された機能を特定の適用例ごとに様々な方法で実装し得るが、そのような実装の決定は、特許請求の範囲からの逸脱を引き起こすものと解釈されるべきではない。また、例示的なワイヤレス通信デバイスは、示されたもの以外の構成要素を含み得る。
【００２０】
[0033]本明細書で説明される技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２１】
[0034]本明細書の教示は、様々なワイヤードまたはワイヤレス装置（たとえば、ノード）に組み込まれ得る（たとえば、その装置内に実装されるか、またはその装置によって実施され得る）。いくつかの態様では、本明細書の教示に従って実装されるワイヤレスノードはアクセスポイントまたはアクセス端末を備え得る。
【００２２】
[0035]上述のように、受信デバイスは、送信デバイスに対するそれの位置および／または配向を決定するために送信デバイスから受信された信号のＡｏＡ情報および／またはＡｏＤ情報を使用し得る。ＩＥＥＥ８０２．１１規格ファミリーに対する最近の修正は、いくつかの受信デバイスにそれのロケーションおよび配向を与えるための、送信デバイスのための機構を与える。この情報は、受信デバイスが、送信デバイスから受信された信号のＡｏＡ情報および／またはＡｏＤ情報に基づいてそれらの位置を決定するのを支援し得る。いくつかの送信デバイスは、複数のアンテナが送信デバイスよりも少数のアンテナを有する受信デバイスに信号を送信するために使用される送信ダイバーシティ技法を採用し得る。たとえば、送信デバイスは、２つのアンテナのみを有する受信デバイスにパケットを送信するために４つの送信アンテナを使用し得る（たとえば、４×２ＭＩＭＯ構成）。そのような送信は、偶発的（unintentional）ビームフォーミングを回避するために送信アンテナにわたってサイクリックシフトダイバーシティ（ＣＳＤ）を使用し得る。サイクリック遅延ダイバーシティ（ＣＤＤ：cyclic delay diversity）と呼ばれることもあるＣＳＤは、送信デバイスの異なるアンテナによって送信された信号間の遅延をもたらす。この遅延は、送信アンテナから受信された信号が、受信デバイスへのマルチパス信号のように見えることを引き起こすことがあり、ＡｏＡ情報を正確に決定する受信デバイスの能力を劣化させ得る。これらは、本開示の様々な態様によって解決されるべき技術的問題の少なくとも一部である。
【００２３】
[0036]本明細書で開示される装置および方法は、送信デバイスが、指定された信号がＣＳＤを用いて送信されるかどうかを示すことを可能にすることによって、推定されたＡｏＡ情報の精度を改善し得る。ＣＳＤが使用される事例では、送信デバイスは、指定された信号を送信するために採用される送信アンテナの数および／またはＣＳＤ遅延値をさらに示し得る。たとえば、受信デバイスは、指定された信号を送信するために使用される送信アンテナの数と、（たとえば、ＩＥＥＥ８０２．１１仕様において指定されている）指定された数の送信アンテナのための知られているＣＳＤパターンとに基づいて、指定された信号に関連するＣＳＤパターンを決定し得る。
【００２４】
[0037]指定された信号を送信するためにＣＳＤが使用されるかどうかに関する指示は、以下でＣＳＤインジケータと呼ばれることがあり、指定された信号を送信するために、いくつの送信アンテナが使用されるかおよび／または採用されるＣＳＤ遅延値に関する指示は、以下でＣＳＤフォーマット情報と呼ばれることがある。以上のことから、ＣＳＤインジケータおよび／またはＣＳＤフォーマット情報の一部が（たとえば、仕様または同意した協定を介して）暗黙的にまたは（たとえば、送信されたパケット中のフィールドを介して）明示的にシグナリングされ得ることは明らかであろう。受信デバイスは、それの推定されたＡｏＡ情報の精度を決定するためにＣＳＤインジケータを使用し得る。たとえば、ＣＳＤが（異なるアンテナからの）送信された信号中の位相シフトを引き起こすので、ＣＳＤの存在は、推定されたＡｏＡ情報の精度を低減し得る。さらに、受信デバイスは、指定された信号を送信するために使用されるＣＳＤフォーマットを補償するためにＣＳＤフォーマット情報を使用し得る。たとえば、ＣＳＤフォーマットの知識を用いて、受信デバイスは、（たとえば、ＣＳＤに起因する位相シフトを補償するために）それが受信された信号のＡｏＡ情報を推定する様式を調整し得る。上述の技術的問題に１つまたは複数の解決策を与える本開示のこれらおよび他の詳細が、以下で詳細に説明される。
【００２５】
[0038]図１は、本開示の態様が実装され得る例示的なワイヤレスシステム１００のブロック図を示す。ワイヤレスシステム１００は、４つのワイヤレス局ＳＴＡ１〜ＳＴＡ４と、ワイヤレスアクセスポイント（ＡＰ）１１０と、ワイヤレスローカルエリアネットワーク（ＷＬＡＮ）１２０とを含むように示されている。ＷＬＡＮ１２０は、ＩＥＥＥ８０２．１１規格ファミリーに従って（または他の好適なワイヤレスプロトコルに従って）動作し得る複数のＷｉ−Ｆｉアクセスポイント（ＡＰ）によって形成され得る。したがって、簡単のために、ただ１つのＡＰ１１０が図１に示されているが、ＷＬＡＮ１２０は、ＡＰ１１０など、任意の数のアクセスポイントによって形成され得ることを理解されたい。ＡＰ１１０は、たとえば、アクセスポイントの製造業者によって、その中にプログラムされる一意のＭＡＣアドレスを割り当てられ得る。同様に、局ＳＴＡ１〜ＳＴＡ４の各々も、一意のＭＡＣアドレスを割り当てられる。図１には詳細に示されていないが、少なくともいくつかの実装形態では、局ＳＴＡ１〜ＳＴＡ４は、（たとえば、ＡＰ１１０の存在なしに）互いに直接信号を交換し得る。
【００２６】
[0039]いくつかの実装形態では、ワイヤレスシステム１００は、多入力多出力（ＭＩＭＯ）ワイヤレスネットワークに対応し得、シングルユーザＭＩＭＯ（ＳＵ−ＭＩＭＯ）通信およびマルチユーザＭＩＭＯ（ＭＵ−ＭＩＭＯ）通信をサポートし得る。さらに、ＷＬＡＮ１２０がインフラストラクチャ基本サービスセット（ＢＳＳ）として図１に示されているが、他の実装形態では、ＷＬＡＮ１２０は、独立基本サービスセット（ＩＢＳＳ）、拡張基本サービスセット（ＥＢＳＳ）、アドホックネットワーク、または（たとえば、Ｗｉ−Ｆｉ  Ｄｉｒｅｃｔプロトコルに従って動作する）ピアツーピア（Ｐ２Ｐ）ネットワークであり得る。
【００２７】
[0040]局ＳＴＡ１〜ＳＴＡ４は、たとえば、セルフォン、携帯情報端末（ＰＤＡ）、タブレットデバイス、ラップトップコンピュータなどを含む、任意の好適なＷｉ−Ｆｉ対応ワイヤレスデバイスであり得る。局ＳＴＡ１〜ＳＴＡ４は、ユーザ機器（ＵＥ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。少なくともいくつかの実装形態では、局ＳＴＡ１〜ＳＴＡ４の各々は、トランシーバと、１つまたは複数の処理リソース（たとえば、プロセッサおよび／またはＡＳＩＣ）と、１つまたは複数のメモリリソースと、電源（たとえば、バッテリー）とを含み得る。メモリリソースは、図６〜図８に関して以下で説明される動作を実施するための命令を記憶する非一時的コンピュータ可読媒体（たとえば、ＥＰＲＯＭ、ＥＥＰＲＯＭ（登録商標）、フラッシュメモリ、ハードドライブなど、１つまたは複数の不揮発性メモリ要素）を含み得る。
【００２８】
[0041]ＡＰ１１０は、１つまたは複数のワイヤレスデバイスが、Ｗｉ−Ｆｉ、Ｂｌｕｅｔｏｏｔｈ、または任意の他の好適なワイヤレス通信規格を使用してＡＰ１１０を介してネットワーク（たとえば、ローカルエリアネットワーク（ＬＡＮ）、ワイドエリアネットワーク（ＷＡＮ）、メトロポリタンエリアネットワーク（ＭＡＮ）、および／またはインターネット）に接続することを可能にする任意の好適なデバイスであり得る。少なくともいくつかの実装形態では、ＡＰ１１０は、トランシーバと、ネットワークインターフェースと、１つまたは複数の処理リソースと、１つまたは複数のメモリリソースとを含み得る。メモリリソースは、上記で説明されたまたは図６〜図８に関して以下で説明される動作説明される動作を実施するための命令を記憶する非一時的コンピュータ可読媒体（たとえば、ＥＰＲＯＭ、ＥＥＰＲＯＭ、フラッシュメモリ、ハードドライブなど、１つまたは複数の不揮発性メモリ要素）を含み得る。他の実装形態では、ＡＰ１１０の１つまたは複数の機能は、（たとえば、ソフトＡＰとして動作する）局ＳＴＡ１〜ＳＴＡ４のうちの１つによって実施され得る。
【００２９】
[0042]局ＳＴＡ１〜ＳＴＡ４および／またはＡＰ１１０では、１つまたは複数のトランシーバは、Ｗｉ−Ｆｉトランシーバ、Ｂｌｕｅｔｏｏｔｈトランシーバ、セルラートランシーバ、ならびに／またはワイヤレス通信信号を送信および受信するための他の好適な無線周波数（ＲＦ）トランシーバ（簡単のために図示せず）を含み得る。各トランシーバは、別個の周波数帯域においておよび／または別個の通信プロトコルを使用して、他のワイヤレスデバイスと通信し得る。たとえば、Ｗｉ−Ｆｉトランシーバは、ＩＥＥＥ８０２．１１規格ファミリーに従って、２．４ＧＨｚ周波数帯域内、５ＧＨｚ周波数帯域内、および／または６０ＧＨｚ周波数帯域内で通信し得る。セルラートランシーバは、第３世代パートナーシッププロジェクト（３ＧＰＰ（登録商標）：3rd Generation Partnership Project）によって記述された４Ｇロングタームエボリューション（ＬＴＥ（登録商標））プロトコルに従って（たとえば、約７００ＭＨｚから約３．９ＧＨｚの間で）、および／または他のセルラープロトコル（たとえば、モバイル用グローバルシステム（ＧＳＭ（登録商標））通信プロトコル）に従って、様々なＲＦ周波数帯域内で通信し得る。他の実装形態では、局ＳＴＡ１〜ＳＴＡ４および／またはＡＰ１１０内に含まれるトランシーバは、ＺｉｇＢｅｅ（登録商標）仕様からの仕様によって記述されたＺｉｇＢｅｅトランシーバ、ＷｉＧｉｇトランシーバ、および／またはＨｏｍｅＰｌｕｇアライアンスからの仕様によって記述されたＨｏｍｅＰｌｕｇトランシーバなどの任意の技術的に実現可能なトランシーバであり得る。
【００３０】
[0043]ＡＰ１１０は、ＡＰ１１０のワイヤレス範囲内の任意のＳＴＡが、ワイヤレスネットワーク１００との通信リンクを確立および／または維持することを可能にするために、ビーコンフレームを周期的にブロードキャストし得る。ＡＰ１１０が局ＳＴＡ１〜ＳＴＡ４のためのダウンリンクデータをキューイングしたかどうかを示すトラフィック指示マップ（ＴＩＭ：traffic indication map）を含み得る、ビーコンフレームは、一般に、ターゲットビーコン送信時間（ＴＢＴＴ：target beacon transmission time）スケジュールに従ってブロードキャストされる。ブロードキャストされたビーコンフレームは、ＡＰのタイミング同期機能（ＴＳＦ：timing synchronization function）値をも含み得る。局ＳＴＡ１〜ＳＴＡ４は、たとえば、すべての局ＳＴＡ１〜ＳＴＡ４が互いにおよびＡＰ１１０と同期されるように、それら自体のローカルＴＳＦ値を、ブロードキャストされたＴＳＦ値と同期させ得る。
【００３１】
[0044]少なくともいくつかの実装形態では、局ＳＴＡ１〜ＳＴＡ４の各々およびＡＰ１１０は、任意の好適な測距動作を使用してそれ自体と別のＷｉ−Ｆｉ対応デバイスとの間の距離を推定するために使用され得る（たとえば、よく知られているソフトウェアモジュール、ハードウェア構成要素、および／またはそれらの好適な組合せを使用して形成される）ＲＦ測距回路を含み得る。さらに、局ＳＴＡ１〜ＳＴＡ４の各々および／またはＡＰ１１０は、Ｗｉ−Ｆｉアクセスポイントおよび／または局のデータのキャッシュを記憶するためのローカルメモリ（簡単のために図１に図示せず）を含み得る。
【００３２】
[0045]図２は、図１の局ＳＴＡ１〜ＳＴＡ４またはＡＰ１１０のうちの少なくとも１つの一実装形態であり得るワイヤレスデバイス２００を示す。ワイヤレスデバイス２００は、物理レイヤデバイス（ＰＨＹ）２１０を含み得、媒体アクセスコントローラ（ＭＡＣ）２２０を含み得、プロセッサ２３０を含み得、メモリ２４０を含み得、いくつかのアンテナ２５０（１）〜２５０（ｎ）を含み得る。ＰＨＹ２１０は、少なくともいくつかのトランシーバ２１１とベースバンドプロセッサ２１２とを含み得る。トランシーバ２１１は、直接的にまたはアンテナ選択回路（簡単のために図示せず）を通してのいずれかで、アンテナ２５０（１）〜２５０（ｎ）に結合され得る。トランシーバ２１１は、たとえば、図１のＡＰ１１０および／または局ＳＴＡ１〜ＳＴＡ４のうちの１つまたは複数を含む他のワイヤレスデバイスに信号を送信し、それらから信号を受信するために使用され得る。簡単のために図２には示されていないが、トランシーバ２１１は、信号を処理し、アンテナ２５０（１）〜２５０（ｎ）を介して他のワイヤレスデバイスに送信するための任意の数の送信チェーンを含み得、アンテナ２５０（１）〜２５０（ｎ）から受信された信号を処理するための任意の数の受信チェーンを含み得る。したがって、ワイヤレスデバイス２００は、ＭＩＭＯ動作のために構成され得る。ＭＩＭＯ動作は、ＳＵ−ＭＩＭＯ動作および／またはＭＵ−ＭＩＭＯ動作を含み得る。さらに、ｎ個のいくつかの態様（n some aspects）、ワイヤレスデバイス２００は、アンテナダイバーシティを与えるために複数のアンテナ２５０（１）〜２５０（ｎ）を使用し得る。アンテナダイバーシティは、偏波ダイバーシティ、パターンダイバーシティ、および／または空間ダイバーシティを含み得る。
【００３３】
[0046]ベースバンドプロセッサ２１２は、プロセッサ２３０および／またはメモリ２４０から受信された信号を処理し、アンテナ２５０（１）〜２５０（ｎ）のうちの１つまたは複数を介した送信のために、処理された信号をトランシーバ２１１にフォワーディングするために使用され得、トランシーバ２１１を介してアンテナ２５０（１）〜２５０（ｎ）のうちの１つまたは複数から受信された信号を処理し、処理された信号をプロセッサ２３０および／またはメモリ２４０にフォワーディングするために使用され得る。
【００３４】
[0047]ＭＡＣ２２０は、少なくともいくつかの競合エンジン２２１とフレームフォーマッティング回路２２２とを含み得る。競合エンジン２２１は、１つまたは複数の共有ワイヤレス媒体へのアクセスを求めて競合し得、また、１つまたは複数の共有ワイヤレス媒体を介した送信のためのパケットを記憶し得る。他の実装形態では、競合エンジン２２１は、ＭＡＣ２２０とは別個であり得る。さらに他の実装形態では、競合エンジン２２１は、プロセッサ２３０によって実行されたとき、競合エンジン２２１の機能を実施する命令を含んでいる（たとえば、メモリ２４０に記憶された、または、ＭＡＣ２２０内に設けられたメモリに記憶された）１つまたは複数のソフトウェアモジュールとして実装され得る。
【００３５】
[0048]フレームフォーマッティング回路２２２は、（たとえば、プロセッサ２３０によって与えられたＰＤＵにＭＡＣヘッダを追加することによって）プロセッサ２３０および／またはメモリ２４０から受信されたフレームを作成および／またはフォーマットするために使用され得、（たとえば、ＰＨＹ２１０から受信されたフレームからＭＡＣヘッダを取ることによって）ＰＨＹ２１０から受信されたフレームを再フォーマットするために使用され得る。いくつかの態様では、フレームフォーマッティング回路２２２は、ワイヤレスデバイス２００から送信されるべきパケットまたは信号内にＣＳＤインジケータおよび／またはＣＳＤフォーマット情報を埋め込むために使用され得る。ＣＳＤインジケータは、ＣＳＤを使用して、複数のアンテナから、パケットまたは信号が送信されるかどうかを示し得る。ＣＳＤフォーマット情報は、パケットまたは信号を送信するために使用される送信アンテナの数および／またはＣＳＤ値を示し得る。
【００３６】
[0049]メモリ２４０は、いくつかのアクセスポイント、局、および／または他のワイヤレスデバイスに関する（またはそれらに関係する）ロケーションデータ、構成情報、データレート、ＭＡＣアドレス、および他の好適な情報を記憶し得るデータベース２４１を含み得る。データベース２４１はまた、いくつかのワイヤレスデバイスのためのプロファイル情報を記憶し得る。所与のワイヤレスデバイスのためのプロファイル情報は、たとえば、ワイヤレスデバイスのサービスセット識別子（ＳＳＩＤ：service set identifier）、チャネル情報、受信信号強度インジケータ（ＲＳＳＩ：received signal strength indicator）値、グッドプット値、チャネル状態情報（ＣＳＩ：channel state information）、およびワイヤレスデバイス２００との接続履歴を含み得る。
【００３７】
[0050]メモリ２４０は、１つまたは複数の他のデバイスのためのＣＳＤ情報を記憶し得るＣＳＤテーブル２４２を含み得る。ＣＳＤ情報は、１つまたは複数の他のデバイスの各々のためのＣＳＤインジケータおよび／またはＣＳＤフォーマット情報を含み得る。いくつかの態様では、所与のデバイスのためのＣＳＤ情報は、所与のデバイスから送信された信号の受信時に、および／またはワイヤレスデバイス２００と所与のデバイスとの間の前の（prior）信号交換に応答して、ＣＳＤテーブル２４２に記憶され得る。他の態様では、所与のデバイスのためのＣＳＤ情報は、別のデバイス（たとえば、所与のデバイスのＣＳＤ情報を前に取得したデバイス）から取得されるか、またはそれによって共有され得る。
【００３８】
[0051]メモリ２４０は、以下のソフトウェアモジュールを記憶し得る非一時的コンピュータ可読記憶媒体（たとえば、ＥＰＲＯＭ、ＥＥＰＲＯＭ、フラッシュメモリ、ハードドライブなど、１つまたは複数の不揮発性メモリ要素）をも含み得る。
【００３９】
・たとえば、図６〜図８に関して以下で説明されるように、フレーム（たとえば、データフレーム、制御フレーム、管理フレーム、およびアクションフレーム）の作成および交換を可能にするためのフレーム形成および交換ソフトウェアモジュール２４３、
・たとえば、図６〜図８に関して以下で説明されるように、受信されたパケットまたはフレーム中のサイクリックシフトダイバーシティ（ＣＳＤ）インジケータおよび／またはＣＳＤフォーマット情報の検出を可能にするための、ならびに／あるいは送信されたパケットまたはフレーム中のＣＳＤインジケータおよび／またはＣＳＤフォーマット情報の挿入を可能にするためのＣＳＤインジケータソフトウェアモジュール２４４、
・たとえば、図６〜図８に関して以下で説明されるように、他のデバイスから受信されたワイヤレス信号の位相情報の決定を可能にするための、および／またはワイヤレス信号がＣＳＤを用いて送信されるときに位相情報が決定される様式を調整するための位相情報決定ソフトウェアモジュール２４５、ならびに
・たとえば、図６〜図８に関して以下で説明されるように、位相情報決定ソフトウェアモジュール２４５によって与えられる位相情報、ＣＳＤインジケータ、および／またはＣＳＤフォーマット情報に少なくとも部分的に基づいて、受信されたワイヤレス信号のＡｏＡ情報および／またはＡｏＤ情報を推定するための角度情報推定ソフトウェアモジュール２４６。
各ソフトウェアモジュールは、プロセッサ２３０によって実行されたとき、対応する機能をワイヤレスデバイス２００に実施させ得る命令を含む。したがって、メモリ２４０の非一時的コンピュータ可読媒体は、図６〜図８の方法の動作の全部または一部分を実施するための命令を含む。
【００４０】
[0052]プロセッサ２３０は、ワイヤレスデバイス２００に（たとえば、メモリ２４０内に）記憶された１つまたは複数のソフトウェアプログラムのスクリプトまたは命令を実行することが可能な１つまたは複数の好適なプロセッサであり得る。たとえば、プロセッサ２３０は、フレーム（たとえば、データフレーム、制御フレーム、管理フレーム、およびアクションフレーム）の作成および交換を可能にするためのフレーム形成および交換ソフトウェアモジュール２４３を実行し得る。プロセッサ２３０は、受信されたパケットまたはフレーム中のＣＳＤインジケータおよび／またはＣＳＤフォーマット情報の検出を可能にするためのＣＳＤインジケータソフトウェアモジュール２４４をも実行し得る。ＣＳＤインジケータソフトウェアモジュール２４４の実行は、ワイヤレスデバイス２００から送信されたパケットまたはフレームへのＣＳＤインジケータおよび／またはＣＳＤフォーマット情報の挿入を可能にするためにも使用され得る。プロセッサ２３０は、他のデバイスから受信されたワイヤレス信号の位相情報の決定を可能にするための、および／またはワイヤレス信号がＣＳＤを用いて送信されるときに位相情報が決定される様式を調整するための位相情報決定ソフトウェアモジュール２４５をも実行し得る。プロセッサ２３０は、位相情報決定ソフトウェアモジュール２４５によって与えられる位相情報、ＣＳＤインジケータ、および／またはＣＳＤフォーマット情報に少なくとも部分的に基づいて、受信されたワイヤレス信号のＡｏＡ情報および／またはＡｏＤ情報を推定するための角度情報推定ソフトウェアモジュール２４６をも実行し得る。
【００４１】
[0053]受信デバイスは、たとえば、図２のワイヤレスデバイス２００によって示されているように、任意の数のアンテナを含み得る。したがって、信号が送信デバイスから受信デバイスに送信されるとき、ワイヤレス信号は、受信デバイスのアンテナ間の物理的間隔により、異なる時間に、したがって異なる位相で、受信デバイスの異なるアンテナによって受信され得る。
【００４２】
[0054]送信デバイスも、たとえば、図２のワイヤレスデバイス２００によって示されているように、任意の数のアンテナを含み得る。したがって、信号が送信デバイスから受信デバイスに送信されるとき、受信デバイスのアンテナは、送信デバイスのアンテナ間の物理的間隔、および／または（たとえば、ＣＳＤに基づいて）異なるアンテナを使用して送信された信号に適用された位相シフトにより、異なる時間に、したがって異なる位相で、送信デバイスのアンテナの各々から信号成分を受信し得る。
【００４３】
[0055]図３Ａは、距離ｄRだけ分離された２つのアンテナＲＸ１およびＲＸ２を含む受信デバイス３１０による信号３０２の受信を示す図３００である。図３Ａの例では、信号３０２は、第１のアンテナＲＸ１と第２のアンテナＲＸ２との間に延びる軸線３１１に対する到来角θAで第１のアンテナＲＸ１および第２のアンテナＲＸ２において受信される。第１のアンテナＲＸ１と第２のアンテナＲＸ２とは距離ｄRだけ分離されるので、第２のアンテナＲＸ２によって受信される信号３０２は、第１のアンテナＲＸ１によって受信される信号３０２よりも長く、ｄ  ｃｏｓθAに等しい距離進む。第１のアンテナＲＸ１と第２のアンテナＲＸ２との間で観測された位相差は、次のように表され得る。
【００４４】
【数１】
2018538734.tif 000003
【００４５】
ここで、λは信号３０２の波長である。ｄ≒λ／２と仮定すると、この位相差は、次のように表され得る。
【００４６】
【数２】
2018538734.tif 000004
【００４７】
いくつかの態様では、第１のアンテナＲＸ１よって受信される信号３０２と第２のアンテナＲＸ２によって受信される信号３０２との間の位相差は、信号３０２の位相情報と呼ばれることがある。その後、受信デバイス３１０は、任意の好適なよく知られている技法を使用して、決定された位相情報（または位相差）に基づいて、送信デバイスから受信された信号３０２の到来角θAを推定し得る。
【００４８】
[0056]図３Ｂは、送信デバイス３２０から受信デバイス３１０へのワイヤレス信号３５２の送信を示す図３５０である。送信デバイス３２０は、距離ｄTだけ分離された第１のアンテナＴＸ１および第２のアンテナＴＸ２を含むように示されている。図３Ｂの例では、信号３５２は、第１のアンテナＴＸ１と第２のアンテナＴＸ２との間に延びる軸線３２１に対する離脱角θDで送信デバイス３２０の第１のアンテナＴＸ１および第２のアンテナＴＸ２から送信され、受信デバイス３１０の第１のアンテナＲｘ１によって受信される。第１のアンテナＴＸ１と第２のアンテナＴＸ２とは距離ｄTだけ分離されるので、第１のアンテナＴＸ１によって送信された信号３５２の第１の成分３５２（１）は、第２のアンテナＴＸ２によって送信された信号３５２の第２の成分３５２（２）よりも長く、ｄT  ｃｏｓθDに等しい距離進む。受信デバイス３１０の第１のアンテナＲＸ１において観測されるように、第１の成分３５２（１）と第２の成分３５２（２）との間の位相差は、次のように表され得る。
【００４９】
【数３】
2018538734.tif 000005
【００５０】
ここで、λは信号３５２の波長である。ｄ≒λ／２と仮定すると、この位相差は、次のように表され得る。
【００５１】
【数４】
2018538734.tif 000006
【００５２】
いくつかの態様では、第１の成分３５２（１）と第２の成分３５２（２）との間の位相差は、信号３５２の位相情報と呼ばれることがある。その後、受信デバイス３１０は、任意の好適なよく知られている技法を使用して、決定された位相情報または位相差（ΔＰｈａｓｅ）に基づいて、送信デバイス３２０からの信号３５２の離脱角θDを推定し得る。
【００５３】
[0057]マルチパス信号伝搬（たとえば、マルチパス効果）は、受信デバイス３１０がＡｏＡ情報およびＡｏＤ情報を推定し得る精度を劣化させ得ることに留意されたい。たとえば、ＥＳＰＲＩＴ（回転不変性技法による信号パラメータの推定（Estimation of Signal Parameters via Rotational Invariance Techniques））およびＭＵＳＩＣ（多信号分類（MUltiple SIgnal Classification））あるいはバートレット法またはカポン法を含む、１つまたは複数の好適な技法が、マルチパス効果の存在下でＡｏＡ情報およびＡｏＤ情報を推定するために使用され得る。
【００５４】
[0058]上記で説明されたように、いくつかの送信デバイスは、偶発的ビームフォーミングを回避するためにそれの送信アンテナ間で、サイクリックシフトダイバーシティ（ＣＳＤ）などの送信ダイバーシティ技法を採用し得る。しかしながら、たとえば、ＣＳＤに関連する位相シフトは受信デバイスにおいてマルチパス信号として知覚され得るので、ＣＳＤによってもたらされる位相シフトは、受信された信号のためのＡｏＡ情報を正確に推定する受信デバイスの能力に干渉し得る。
【００５５】
[0059]図３Ｃは、送信デバイス３３０から受信デバイス３１０へのワイヤレス信号３６２の送信を示す図３６０である。図３Ｃの例では、送信デバイス３３０は４つのアンテナＴＸ１〜ＴＸ４を含むように示されているが、受信デバイス３１０は２つのアンテナＲＸ１およびＲＸ２のみを含む。アンテナＴＸ１〜ＴＸ４の各々は、ワイヤレス信号３６２のそれぞれの成分３６２（１）〜３６２（４）を送信する。いくつかの態様では、送信デバイス３３０は、（たとえば、送信アンテナＴＸ１〜ＴＸ４の数が受信アンテナＲＸ１およびＲＸ２の数を超えているので）たとえば、受信デバイス３１０における偶発的ビームフォーミングを回避するために、ワイヤレス信号３６２を受信デバイス３１０に送信するとき、サイクリックシフトダイバーシティを実装し得る。
【００５６】
[0060]たとえば、（たとえば、ＴＸ２によって送信された）ワイヤレス信号３６２の第２の成分３６２（２）は第１の成分３６２（１）に関して位相シフトされ得、（たとえば、ＴＸ３によって送信された）ワイヤレス信号３６２の第３の成分３６２（３）は第２の成分３６２（２）に関してさらに位相シフトされ得、（たとえば、ＴＸ４によって送信された）ワイヤレス信号３６２の第４の成分３６２（４）は第３の成分３６２（３）に関してさらに位相シフトされ得る。ワイヤレス信号３６２の様々な成分３６２（１）〜３６２（４）間の位相シフトの結果として、受信デバイス３１０は、受信されたワイヤレス信号３６２に基づいて、それのアンテナＲＸ１とＲＸ２との間のいくつかの位相差を検出し得る。これは、受信デバイス３１０がワイヤレス信号３６２の到来アンゲル（angel）を推定することが可能である精度に影響を及ぼし得る。
【００５７】
[0061]上述のように、本開示の態様は、ワイヤレス信号３６２がＣＳＤを使用して送信されるかどうかを送信デバイス３３０が示すことを可能にすることによって、受信デバイス３１０が送信デバイス３３０から送信されたワイヤレス信号のＡｏＡ情報を推定し得る精度を改善し得る。例示的な実装形態では、送信デバイス３３０は、ＣＳＤインジケータおよび／またはＣＳＤフォーマット情報をワイヤレス信号３６２に埋め込むこと（embedding）によって、ワイヤレス信号３６２がＣＳＤを用いて送信されるかどうかを示し得る。送信デバイス３３０がワイヤレス信号３６２を送信するためにＣＳＤを採用しない場合、受信デバイス３１０は、ＣＳＤに関連する遅延を補償する必要がないことがある（たとえば、受信デバイス３１０は、ＡｏＡ情報を決定するために、送信デバイス３３０から受信された指定された信号の位相を確実に（reliably）使用し得る）ことに留意されたい。したがって、ＣＳＤがワイヤレス信号３６２の送信において使用されない場合、送信デバイス３３０は、ワイヤレス信号３６２に、送信された信号中にＣＳＤがないことを示すＣＳＤインジケータを埋め込み得る。このようにして、受信デバイス３１０は、送信デバイス３３０から送信されたワイヤレス信号３６２からＣＳＤインジケータを抽出し、ワイヤレス信号３６２の様々な成分３６２（１）〜３６２（４）の間のＣＳＤ（たとえば、位相シフト）を補償することなしにＡｏＡ情報が推定され得ると決定し得る。
【００５８】
[0062]しかしながら、送信デバイス３３０がワイヤレス信号３６２を送信するためにＣＳＤを採用する場合、送信デバイス３３０は、それの送信チェーン間のＣＳＤ遅延（詳細には、実際のＣＳＤ遅延が、ＩＥＥＥ８０２．１１規格ファミリーにおいて指定されたＣＳＤ遅延とは異なるかどうか）を示し得る。たとえば、送信デバイス３３０は、ワイヤレス信号３６２を送信する際のＣＳＤの使用を示す状態にＣＳＤインジケータを設定し得、および／または与え得る。いくつかの態様では、送信デバイス３３０は、関連する信号３６２を送信するために使用されるアンテナの数および／またはＣＳＤ値を示すＣＳＤフォーマット情報を（たとえば、送信されたワイヤレス信号３６２内で）与え得る。このようにして、受信デバイス３１０は、示されたＣＳＤ遅延から、送信デバイス３３０によって採用されるＣＳＤ技法に関連するマルチパス効果を補償するために１つまたは複数の較正値を導出し得る。その後、受信デバイス３１０は、（たとえば、ＣＳＤのために調整された）位相情報に基づいてワイヤレス信号３６２のＡｏＡ情報を推定し得る。
【００５９】
[0063]いくつかの態様では、受信デバイス３１０は、それがＣＳＤに少なくとも部分的に基づいてワイヤレス信号３６２の位相情報を決定する様式を調整し得る。たとえば、図３Ｄに示されているように、（送信デバイス３３０と受信デバイス３１０との間の）ワイヤレスチャネルは、タップ付き（tapped）遅延線３７０としてモデル化され得る。遅延線３７０は、（たとえば、マルチパス効果をもつ）ワイヤレスチャネルのインパルス応答を表すいくつかの（a number of）「タップ」ｃ1〜ｃ4を含むように示されている。インパルス応答関数ｈ（ｔ，τ）は、次のように表され得る。
【００６０】
【数５】
2018538734.tif 000007
【００６１】
ここで、ｃi（ｔ）は遅延線３７０の各インパルスまたはタップを表す係数（たとえば、図３Ｄの例におけるｃ1〜ｃ4）であり、Ｎはインパルスの総数であり（たとえば、図３Ｄの例についてＮ＝４）、τiは各インパルスまたはタップに関連する遅延値（たとえば、図３Ｄの例におけるτ1〜τ4）である。
【００６２】
[0064]上記で説明されたように、図３Ｃを参照すると、送信デバイス３３０によって採用されるサイクリックシフト遅延は、受信デバイス３１０によってマルチパス効果として知覚され得る。したがって、送信デバイス３３０が（たとえば、ワイヤレス信号３６２の第２、第３、および第４の成分３６２（２）〜３６２（４）に位相シフトを適用することによって）ＣＳＤを採用すると仮定すると、遅延線３７０の第１のタップｃ1はワイヤレス信号３６２の第１の成分３６２（１）に対応し得、遅延線３７０の第２のタップｃ2はワイヤレス信号３６２の第２の成分３６２（２）に対応し得、遅延線３７０の第３のタップｃ3はワイヤレス信号３６２の第３の成分３６２（３）に対応し得、遅延線３７０の第４のタップｃ4はワイヤレス信号３６２の第４の成分３６２（４）に対応し得る。
【００６３】
[0065]例示的な実装形態では、受信デバイス３１０は、遅延線３７０のそれぞれのタップｃ1〜ｃ4に関連する遅延値τ1〜τ4を決定するために送信デバイス３３０のＣＳＤフォーマット情報を使用し得る。遅延線３７０の第１のタップｃ1が、ＣＳＤに起因するいかなる位相オフセットもなしに送信されるワイヤレス信号３６２の成分（たとえば、第１の成分３６２（１））に対応し得ることに留意されたい。したがって、受信デバイス３１０は、遅延線３７０の第１のタップｃ1からワイヤレス信号３６２の位相情報をより正確に決定し得る。いくつかの態様では、受信デバイス３１０は、遅延線３７０の第１のタップｃ1を決定し、第１のタップｃ1に基づいてワイヤレス信号３６２のＡｏＡ情報をさらに決定するために、（たとえば、ワイヤレス信号３６２に適用された位相シフトを示す）ＣＳＤフォーマット情報を使用し得る。
【００６４】
[0066]送信デバイス３３０は、ＣＳＤインジケータおよび／またはＣＳＤフォーマット情報を任意の好適な様式で受信デバイス３１０に通信し得る。より詳細には、ＣＳＤインジケータおよび／またはＣＳＤフォーマット情報は、受信デバイス３１０に送信されたワイヤレス信号に関連するパケットまたはフレームの任意の好適な部分内に埋め込まれ（またはさもなければ含まれ）得る。ＣＳＤインジケータは、指定された信号がＣＳＤを使用して送信されるかどうかを示す１つまたは複数のビットであり得、ＣＳＤフォーマット情報は、使用される送信アンテナの数および／または採用されるＣＳＤ位相シフト値を示す複数のビットであり得る。いくつかの態様では、受信されたパケット中のＣＳＤフォーマット情報の存在は、暗黙的にＣＳＤインジケータとして働き得る。受信デバイス３１０は、受信されたワイヤレス信号３６２のためのＡｏＡ情報を推定する際にＣＳＤ位相シフト値を補償すべきかどうかを決定するためにＣＳＤインジケータを復号し得る。受信デバイス３１０はまた、ＣＳＤを補償するために、推定されたＡｏＡ情報をどのように調整または計算すべきかを決定するためにＣＳＤフォーマット情報を復号し得る。
【００６５】
[0067]別の態様では、受信されたパケット中のＣＳＤインジケータを検出すると、受信デバイス３１０は、ＣＳＤなしに送信されるパケットの部分に基づいてワイヤレス信号３６２のＡｏＡ情報を推定し得る。たとえば、ＩＥＥＥ８０２．１１ａｚ規格は、ＣＳＤなしに送信されるように構成されたポストアンブルを含むパケットについて説明している。受信デバイス３１０が、ＣＳＤなしに送信されるこのポストアンブルに基づいて、受信されたワイヤレス信号の位相情報をより正確に決定し得ることに留意されたい。したがって、いくつかの実装形態では、送信デバイス３３０は、既存の８０２．１１ＭＡＣ／ＰＨＹ技術に従って受信デバイス３１０にパケットを送信し得、それにより、ＩＥＥＥ８０２．１１ａｚ規格に準拠するパケットは、（たとえば、より正確なＡｏＡ推定を可能にするために）ＣＳＤなしに送信される追加のポストアンブルを含み得る。
【００６６】
[0068]いくつかの実装形態では、ＣＳＤインジケータおよび／またはＣＳＤフォーマット情報は、たとえば、将来のＩＥＥＥ８０２．１１ａｚ規格に従ってフォーマットされるパケットのプリアンブル、ミッドアンブル、および／またはポストアンブル内に挿入され得る。いくつかの態様では、ＣＳＤインジケータを含んでいる１つまたは複数のシンボルは、たとえば、ＣＳＤ位相シフト値がＡｏＡ情報の推定に影響を及ぼさないことを保証するために、送信デバイス３３０の単一のアンテナを使用して送信され得る。他の実装形態では、ＣＳＤインジケータおよび／またはＣＳＤフォーマット情報は、たとえば、パケットのＰＨＹヘッダ、ＭＡＣヘッダ、予約済みフィールド、パケットの既存のフィールド内の１つまたは複数の予約済みビット、情報要素（ＩＥ）、ベンダー固有情報要素（ＶＳＩＥ：vendor-specific information element）などを含むパケットの他の部分内に挿入され得る。
【００６７】
[0069]図４Ａは、本開示の１つまたは複数の態様が実装され得る例示的なパケット４００を示す。ＩＥＥＥ８０２．１１ａｃ規格に従ってフォーマットされるＶＨＴパケットであり得るパケット４００は、プリアンブル４０１と、フレーム開始（ＳＯＦ：start of frame）デリミタ４０２と、物理レイヤ（ＰＨＹ）ヘッダ４０３と、物理レイヤサービスデータユニット（ＰＳＤＵ）４０４と、テールフィールド４０５と、パッドフィールド４０６とを含むように示されている。
【００６８】
[0070]プリアンブル４０１は、たとえば、図５Ｂに関して以下でより詳細に説明されるように、同期情報と、タイミング情報と、周波数オフセット補正情報と、シグナリング情報とを含み得る。いくつかの態様では、プリアンブル４０１は、潜在的に受信可能な信号を検出し、ダイバーシティが利用される場合にアンテナを選択し、周波数オフセット補正情報および同期情報を決定するために使用され得る同期パターン（たとえば、交互「０１」パターン）を含んでいるフィールドを含み得る。ＳＯＦデリミタ（delimiter）４０２は、パケット４００内にカプセル化されたデータフレームの開始を示し得る。ＰＨＹヘッダ４０３は、図５Ａに関して以下でより詳細に説明されるように、データレートと、予約済みビットと、ＰＳＤＵ４０４の長さと、パリティビットと、いくつかのテールビットと、サービス情報とを記憶するためのいくつかのフィールドを含み得る。ＰＳＤＵ４０４は、ＭＰＤＵ４１０を含んでいることがある。テールフィールド４０５はいくつかのテールビットを含み得、パッドフィールド４０６はいくつかのパッドビットを含み得る。
【００６９】
[0071]本開示の態様によれば、ＣＳＤインジケータおよび／またはＣＳＤフォーマット情報は、プリアンブル４０１、ＳＯＦデリミタ４０２、ＰＨＹヘッダ４０３、ＰＳＤＵ４０４、および／またはパッドフィールド４０６内に挿入されるか、または埋め込まれ得る。いくつかの態様では、ＣＳＤインジケータおよび／またはＣＳＤフォーマット情報は、パケット４００の同じフィールドまたはヘッダに一緒に記憶され得る。他の態様では、ＣＳＤインジケータおよび／またはＣＳＤフォーマット情報は、パケット４００の異なるフィールドまたはヘッダに記憶され得る。
【００７０】
[0072]一般にＭＡＣフレームと呼ばれることがあるＭＰＤＵ４１０は、ＩＥＥＥ８０２．１１規格ファミリーに準拠し得る。ＭＰＤＵ４１０は、ＭＡＣヘッダ４１１と、フレーム本体４１２と、フレーム制御シーケンス（ＦＣＳ：frame control sequence）フィールド４１３とを含む。ＭＡＣヘッダ４１１は、フレーム本体４１２とともにカプセル化された１つまたは複数のパケットの特性または属性について説明する情報を含んでいるいくつかのフィールドを含み得、フレーム本体４１２中にカプセル化されたデータのソースアドレスおよび宛先アドレスを示すいくつかのフィールドを含み得、制御情報を含んでいるいくつかのフィールドを含み得る。いくつかの実装形態では、ＭＡＣヘッダ４１１は、任意の好適なデータフレーム、制御フレーム、管理フレーム、および／またはアクションフレームのＭＡＣヘッダとして使用され得る。
【００７１】
[0073]より詳細には、図４Ａに示されているように、ＭＡＣヘッダ４１１は、フレーム制御フィールドと、持続時間／ＩＤフィールドと、アドレス１フィールドと、アドレス２フィールドと、アドレス３フィールドと、シーケンス制御フィールドと、アドレス４フィールドと、サービス品質（ＱｏＳ）制御フィールドと、高スループット（ＨＴ）フィールドとを含み得る。少なくともいくつかの実装形態では、フレーム制御フィールドは２バイトであり、持続時間／ＩＤフィールドは２バイトであり、アドレス１フィールドは６バイトであり、アドレス２フィールドは６バイトであり、アドレス３フィールドは６バイトであり、シーケンス制御フィールドは２バイトであり、アドレス４フィールドは０または６バイトであり、ＱｏＳ制御フィールドは０または２バイトであり、ＨＴフィールドは０または４バイトである。他の実装形態では、図４ＡのＭＡＣヘッダ４１１のフィールドは、他の好適な長さであり得る。フレーム制御フィールドは、少なくともタイプフィールドとサブタイプフィールドとを含み得る。
【００７２】
[0074]図４Ｂは、本開示の１つまたは複数の態様が実装され得る例示的なパケット４３０を示す。パケット４３０は、図４Ｂのパケット４３０が、パケット４３０の端部にアペンドされたパケット拡張４０７を含むように示されていることを除いて、図４Ａの例示的なパケット４００と同様である。いくつかの態様では、パケット４３０は、ＩＥＥＥ８０２．１１ａｘ規格に従ってフォーマットされたＨＥパケットであり得る。
【００７３】
[0075]パケット拡張４０７は、一般に、いかなるデータをも記憶しない。代わりに、パケット拡張４０７は、一般に、たとえば、送信デバイスに許可される媒体アクセスを断念することなしにパケット４３０を復号するためのより多くの時間を受信デバイスに与える（allow）ために、（たとえば、パケットペイロードの最後のシンボルを繰り返す）「ダミー」データを記憶する。少なくともいくつかの実装形態では、パケット拡張４０７は、たとえば、サウンディングＬＴＦなど、１つまたは複数のサウンディングシーケンスを記憶するために使用され得る。サウンディングＬＴＦは、ＨＥ−ＬＴＦであり得るか、あるいは、ＶＨＴ−ＬＴＦ、またはチャネルサウンディング目的のために使用され得る任意のＬＴＦであり得る。これらの１つまたは複数のサウンディングＬＴＦは、ＭＩＭＯチャネル状態を推定するために受信デバイスによって使用され得、それは、送信デバイスによって送信されたフレームのためのＡｏＤ情報を推定するために受信デバイスによって使用され得る。
【００７４】
[0076]図５Ａは、本開示の態様が実装され得るＯＦＤＭフレーム５００を示す。ＯＦＤＭフレーム５００は、任意の好適なデータフレーム、制御フレーム、管理フレーム、および／またはアクションフレームをワイヤレスデバイス間でトランスポートするために使用され得る。いくつかの態様では、ＣＳＤインジケータは、ＯＦＤＭフレーム５００の物理レイヤコンバージェンスプロトコル（ＰＬＣＰ：Physical Layer Convergence Protocol）ヘッダの予約済みビット５０１であり得る。他の態様では、ＣＳＤインジケータは、ＯＦＤＭフレーム５００のパッドビット内に与えられ得る。
【００７５】
[0077]予約済みビット５０１ＰＬＣＰヘッダは別の目的のために使用され得るので、高スループット（ＨＴ）フレームに、または超高スループット（ＶＨＴ）フレームに、または高効率（ＨＥ）フレームにＣＳＤインジケータを挿入することが望ましいことがある。
【００７６】
[0078]図５Ｂは、本開示の態様が実装され得るＶＨＴパケットの例示的なプリアンブル５１０を示す。プリアンブル５１０は、図４Ａのパケット４００のプリアンブル４０１および／または図４Ｂのパケット４３０のプリアンブル４０１の一実装形態であり得る。ＩＥＥＥ８０２．１１ａｃ規格に準拠し得るプリアンブル５１０は、レガシーショートトレーニングフィールド（Ｌ−ＳＴＦ）５１２と、レガシーロングトレーニングフィールド（Ｌ−ＬＴＦ）５１３と、レガシー信号（Ｌ−ＳＩＧ）５１４と、超高スループットシグナリングＡ（ＶＨＴ−ＳＩＧ−Ａ）フィールド５１５と、ＶＨＴ−ＳＴＦフィールド５１６と、ＶＨＴ−ＬＴＦフィールド５１７と、ＶＨＴ−ＳＩＧ−Ｂフィールド５１８とを含むように示されている。
【００７７】
[0079]Ｌ−ＳＴＦ５１２は、粗（coarse）周波数推定、自動利得制御、およびタイミング回復のための情報を含み得る。Ｌ−ＬＴＦ５１３は、微（fine）周波数推定、チャネル推定、および微タイミング回復のための情報を含み得る。Ｌ−ＳＩＧフィールド５１４は、変調およびコーディング情報を含み得る。ＶＨＴ−ＳＩＧ−Ａフィールド５１５は、示された帯域幅、ペイロードガードインターバル（ＧＩ）、コーディングタイプ、空間ストリームの数（Ｎｓｔｓ：number of spatial streams）、時空間ブロックコーディング（ＳＴＢＣ：space-time block coding）、ビームフォーミング情報などのパラメータを含み得る。ＶＨＴ−ＳＴＦ５１６中に含まれている情報は、ＳＵ−ＭＩＭＯ通信およびＭＵ−ＭＩＭＯ通信のための自動利得制御推定を改善するために使用され得、ＶＨＴ−ＬＴＦ５１７中に含まれている情報は、様々なＭＩＭＯチャネル状態を推定するために使用され得る。ＶＨＴ−ＳＩＧ−Ｂフィールド５１８は、たとえば、ユーザ固有情報と、所与のフレーム送信に関連する空間ストリームの数とを含む追加のＳＵ−ＭＩＭＯ情報およびＭＵ−ＭＩＭＯ情報を含み得る。
【００７８】
[0080]いくつかの態様では、ＣＳＤインジケータおよび／またはＣＳＤフォーマット情報は、プリアンブル５１０のＳＩＧフィールド５１４または５１８のうちの１つ内に埋め込まれ得るか、プリアンブル５１０のスタッガード（staggered）ＶＨＴフィールド５１５〜５１８内に埋め込まれ得るか、プリアンブル５１０のＶＨＴ−ＬＴＦフィールド５１７内に埋め込まれ得るか、またはプリアンブル５１０の端部にアペンドされ得る。他の態様では、ＣＳＤインジケータは、プリアンブル５１０にプリペンドされ得るか、またはプリアンブル５１０のフィールド５１２〜５１８のペアの間に挿入されるフィールド中に与えられ得る。ＣＳＤインジケータは、パケットのＰＬＣＰヘッダのスクランブラシード内に埋め込まれ得る。
【００７９】
[0081]ＣＳＤインジケータは、（簡単のために示されないが、ＣＳＤインジケータがＨＴプリアンブルのＨＴ−ＳＩＧフィールドに挿入され得ることを除いて）図５ＢのＶＨＴプリアンブル５１０に関して上記で説明されたものと同様の様式でＨＴプリアンブルに挿入され得る。
【００８０】
[0082]上記で説明されたように、ＣＳＤフォーマット情報は、指定された信号を送信するために使用されるアンテナの数および／またはＣＳＤ遅延を示し得る。受信デバイスは、指定された信号に関連する空間ストリームの数を決定するために、受信されたプリアンブル５１０のシグナリングフィールド（たとえば、ＨＴ−ＳＩＧフィールド、ＶＨＴ−ＳＩＧフィールド、および／またはＨＥＷ−ＳＩＧフィールド）のうちの１つまたは複数中に与えられた情報を使用し得る。一例では、送信デバイスと受信デバイスとがＨＴフレーム交換をネゴシエートする場合、受信デバイスは、指定された信号のＨＴ−ＳＩＧフィールド中に与えられた情報を使用して空間ストリームの数を決定し得る。別の例では、送信デバイスと受信デバイスとがＶＨＴフレーム交換をネゴシエートする場合、受信デバイスは、指定された信号のＶＨＴ−ＳＩＧフィールドのうちの１つ中に与えられた情報を使用して空間ストリームの数を決定し得る。受信デバイスはまた、指定された信号のためのＣＳＤフォーマットを識別し得る。たとえば、受信デバイスは、送信デバイスによって使用されるアンテナの数および空間ストリームの数に少なくとも部分的に基づいて、ＣＳＤフォーマットを識別し得る。送信デバイスによって使用されるＣＳＤフォーマットを識別した後に、受信デバイスは、（たとえば、識別されたＣＳＤフォーマットを補償した後に）送信デバイス形成する受信されたワイヤレス信号（wireless signals received form the transmitting device）のＡｏＡ情報をより正確に推定し得る。
【００８１】
[0083]いくつかの態様では、ＣＳＤインジケータおよび／またはＣＳＤフォーマット情報は、送信デバイスと受信デバイスとの間のフレームの前の交換中に含まれ得る。フレームの前の交換は、送信デバイスと受信デバイスとが、互いに関連付けられることを必要とし得るが、関連付けは、送信デバイスと受信デバイスとの間のある程度の信用を与え得る。より詳細には、たとえば、関連付けられていない受信デバイスは送信デバイスに関連付けられた受信デバイスほど正確に送信デバイスを測位することが可能でないことがあるので、送信デバイスと受信デバイスとの間の関連付けは、送信デバイスのためのプライバシーを高め得る。
【００８２】
[0084]またさらに、いくつかの態様では、ＣＳＤインジケータおよび／またはＣＳＤフォーマット情報は、任意の好適なタイプのフレーム、パケット、信号、またはシンボル中で送信デバイスから受信デバイスに与えられ得る。一例では、ＣＳＤインジケータおよび／またはＣＳＤフォーマット情報は、管理フレーム（たとえば、ビーコンフレーム、プローブ要求、プローブ応答、関連付け要求など）内に、制御フレーム（たとえば、ＡＣＫフレーム、ブロックＡＣＫフレーム、ＰＳ−Ｐｏｌｌフレームなど）内に、および／またはデータフレーム内に与えられ得る。受信デバイスは、１つまたは複数の他のデバイスのためのＣＳＤインジケータおよび／またはＣＳＤフォーマット情報を図２のＣＳＤテーブル２４２に記憶し得る。
【００８３】
[0085]送信デバイスからフレームを受信すると、受信デバイスは、送信デバイスのアドレスを復号し、（たとえば、復号されたアドレスをルックアップ値または探索鍵（search key）として使用することによって）送信デバイスに対応する、ＣＳＤテーブル２４２からのエントリを検索するために、復号されたアドレスを使用し得る。ＣＳＤテーブル２４２から検索されたエントリは、送信デバイスがワイヤレス信号のそれの送信においてＣＳＤを採用するかどうかに関する指示を含み得、送信デバイスの送信チェーン間の位相シフトを示すＣＳＤフォーマット情報を含み得る。いくつかの態様では、ＣＳＤテーブル２４２は、各デバイスについて、識別子（たとえば、デバイスのＭＡＣアドレス、関連付け識別情報（ＡＩＤ：association identification）、ＩＰアドレスなど）と、デバイスがＣＳＤを採用するかどうかに関する指示とを含み得る。
【００８４】
[0086]このようにして、受信デバイスが送信デバイスから受信された信号のためのＡｏＡ情報を推定すべきであるとき、受信デバイスは、指定された信号がＣＳＤテーブル２４２にアクセスすることによってＣＳＤを用いて送信されるかどうかを決定し得る。送信デバイスがＣＳＤを採用しない場合、受信デバイスは、受信された信号中の（ＣＳＤに起因する）様々な位相シフトを補償することなしにＡｏＡ情報を正確に推定し得る。逆に、送信デバイスがＣＳＤを採用する場合、受信デバイスは、送信デバイスから受信されたのためのＡｏＡ情報を推定するときにそのような位相シフトを補償する必要があり得る。
【００８５】
[0087]図５Ｃは、本開示の態様が実装され得るＨＥパケットの例示的なプリアンブル５２０を示す。プリアンブル５２０は、図４Ａのパケット４００および／または図４Ｂのパケット４３０のプリアンブル４０１の一実装形態であり得る。ＩＥＥＥ８０２．１１ａｘ規格に準拠し得るプリアンブル５２０は、プリアンブル５１０のＬ−ＳＴＦフィールド５１２、Ｌ−ＬＴＦフィールド５１３、およびＬ−ＳＩＧフィールド５１４、ならびに、繰返しレガシー信号（ＲＬ−ＳＩＧ）フィールド５２１、ＨＥ信号Ａのセット（ＨＥ−ＳＩＧ−Ａ１／ＨＥ−ＳＩＧ−Ａ２）フィールド５２２、ＨＥ信号Ｂ（ＨＥ−ＳＩＧ−Ｂ）フィールド５２３、ＨＥショートトレーニングフィールド（ＨＥ−ＳＴＦ）５２４、およびＨＥロングトレーニングフィールド（ＨＥ−ＬＴＦ）５２５を含むように示されている。
【００８６】
[0088]ＨＥパケットとしてパケット５２０を識別するために使用され得るＲＬ−ＳＩＧフィールド５２１は、Ｌ−ＳＩＧフィールド５１４の時間領域波形を繰り返すことによって生成された時間領域波形を含み得る。ＨＥ−ＳＩＧ−Ａ１およびＨＥ−ＳＩＧ−Ａ２フィールド５２２は、示された帯域幅、ペイロードガードインターバル（ＧＩ）、コーディングタイプ、空間ストリームの数（Ｎｓｔｓ）、時空間ブロックコーディング（ＳＴＢＣ）、ビームフォーミング情報などのパラメータを含み得る。
【００８７】
[0089]いくつかの態様では、ＨＥ−ＳＩＧ−Ａ１およびＨＥ−ＳＩＧ−Ａ２フィールド９５５は、ＨＥ−ＬＴＦ５２５に記憶された情報のタイプ（たとえば、ＨＥ−ＬＴＦ５２５が、受信デバイスがＡｏＡ情報を取得し得る情報で構成されるかどうか）について説明するパラメータを記憶するためのフィールドのセットを含み得る。たとえば、フィールドのセットは、（１）サイクリックプレフィックス（ＣＰ）値とＨＥ−ＬＴＦ５２５の長さとを記憶するＣＰ＋ＬＴＦサイズフィールドと、（２）数空間ストリームを示す情報を記憶するためのＮｓｔｓフィールドと、（３）ＳＴＢＣフィールドが時空間ブロックコーディングのための値を記憶する（a STBC field store a value for space-time block coding）と、（４）ビームフォーミングに関係する情報を記憶するための送信ビームフォーミング（ＴｘＢＦ）フィールドとを含む。
【００８８】
[0090]ＨＥ−ＳＩＧ−Ｂフィールド５２３は、たとえば、ＩＥＥＥ８０２．１１ａｘ仕様で説明されるように、直交周波数分割多元接続（ＯＦＤＭＡ）送信に関連するリソースユニット（ＲＵ）割振り情報を含み得る。
【００８９】
[0091]ＨＥ−ＳＴＦ５２４中に含まれている情報は、ＳＵ−ＭＩＭＯ通信およびＭＵ−ＭＩＭＯ通信のための自動利得制御推定を改善するために使用され得、ＨＥ−ＬＴＦ５２５中に含まれている情報は、様々なＭＩＭＯチャネル状態を推定するために使用され得る。いくつかの態様では、ＨＥ−ＬＴＦ５２５は、ＡｏＡ情報が決定され得る情報（たとえば、サウンディングシーケンス）を含み得る。
【００９０】
[0092]いくつかの態様では、ＣＳＤインジケータは、プリアンブル５２０のシグナリングフィールド５１４または５２２のうちの１つ内に埋め込まれ得るか、プリアンブル５１０のスタッガードＶＨＴフィールド５１５〜５１８内に埋め込まれ得るか、またはプリアンブル５２０の端部にアペンドされ得る。他の態様では、ＣＳＤインジケータは、プリアンブル５２０にプリペンドされ得るか、またはプリアンブル５２０内のフィールドの任意のペアの間に挿入されるフィールド中に与えられ得る。ＣＳＤインジケータは、パケットのＰＬＣＰヘッダのスクランブラシード内に埋め込まれ得る。
【００９１】
[0093]図６は、本開示のいくつかの態様による、ワイヤレス信号の到来角を推定するための例示的な動作６００を示すフローチャートである。例示的な動作６００は、送信デバイスから送信されたワイヤレス信号のＡｏＡ情報を推定するために受信デバイスによって実施されるものとして以下で説明されるが、例示的な動作６００は、たとえば、図１のＡＰ１１０、図１の局ＳＴＡ１〜ＳＴＡ４、または図２のワイヤレスデバイス２００を含む任意の好適なワイヤレスデバイスによって実施され得ることを理解されたい。
【００９２】
[0094]受信デバイスは、送信デバイスからワイヤレス信号を受信する（６０２）。たとえば、受信デバイスは、図２に示されたアンテナ２５０（１）〜２５０（ｎ）のうちの１つまたは複数およびトランシーバ２１１を使用してワイヤレス信号を受信し得る。本明細書での説明の目的で、ワイヤレス信号は、複数のアンテナを使用して送信デバイスから送信される。いくつかの態様では、ワイヤレス信号を送信するために使用される（たとえば、送信デバイスの）アンテナの数は、ワイヤレス信号を受信するために使用される（たとえば、受信デバイスの）アンテナの数よりも大きいことがある。
【００９３】
[0095]受信デバイスは、ワイヤレス信号中のサイクリックシフトダイバーシティ（ＣＳＤ）の存在を決定し得る（６０４）。いくつかの実装形態では、受信デバイスは、図２のＣＳＤインジケータソフトウェアモジュール２４４を実行することによって、ワイヤレス信号中のＣＳＤの存在を決定し得る。いくつかの態様では、受信デバイスは、ワイヤレス信号中で、対応する信号がＣＳＤを用いて送信されるかどうかを示すＣＳＤインジケータを検出し得る（６０４Ａ）。他の態様では、受信デバイスは、ワイヤレス信号中で、ワイヤレス信号を送信するために使用されるアンテナの数および／またはＣＳＤ値を示すＣＳＤフォーマット情報を検出し得る（６０４Ｂ）。ＣＳＤインジケータおよび／またはＣＳＤフォーマット情報は、ワイヤレス信号の任意の好適な部分内に埋め込まれるか、またはさもなければ含まれ得る。一例では、ＣＳＤインジケータおよび／またはＣＳＤフォーマット情報は、パケットのプリアンブル、ミッドアンブル、またはポストアンブル内に埋め込まれ得る。別の例では、ＣＳＤインジケータおよび／またはＣＳＤフォーマット情報は、パケットのＰＨＹヘッダ、パケットのＭＡＣヘッダ、パケットのシグナリングフィールド、またはパケットのパケット拡張内に埋め込まれ得る。
【００９４】
[0096]受信デバイスは、次いで、ＣＳＤの存在に少なくとも部分的に基づいてワイヤレス信号の到来角を推定し得る（６０６）。いくつかの実装形態では、受信デバイスは、図２の角度情報推定ソフトウェアモジュール２４６を実行することによって、ワイヤレス信号の到来角を推定し得る。いくつかの態様では、受信デバイスは、たとえば、図３Ｂおよび図３Ｃに関して上記で説明されたように、ＣＳＤに少なくとも部分的に基づいてワイヤレスチャネルの第１のタップを決定し得る（６０６Ａ）。受信デバイスは、次いで、たとえば、図３Ｂおよび図３Ｃに関して上記で説明されたように、第１のタップに基づいて、受信デバイスの複数のアンテナ間のワイヤレス信号の位相差を決定し得る（６０６Ｂ）。他の態様では、受信デバイスは、ＣＳＤなしに送信される受信されたパケットの一部分に基づいてワイヤレス信号の位相情報を決定し得る（６０６Ｃ）。またさらに、他の態様では、受信デバイスは、ＡｏＡ情報を推定するための任意のよく知られている技法を使用してワイヤレス信号の到着角を推定し得る。
【００９５】
[0097]図７は、本開示のいくつかの態様による、ワイヤレス信号の到来角を推定するための別の例示的な動作７００を示すフローチャートである。例示的な動作７００は、送信デバイスから送信されたワイヤレス信号のＡｏＡ情報を推定するために受信デバイスによって実施されるものとして以下で説明されるが、例示的な動作７００は、たとえば、図１のＡＰ１１０、図１の局ＳＴＡ１〜ＳＴＡ４、または図２のワイヤレスデバイス２００を含む任意の好適なワイヤレスデバイスによって実施され得ることを理解されたい。いくつかの態様では、受信デバイスはアクセスポイントであり得、送信デバイスは、アクセスポイントに関連付けられたかまたは関連付けられていない局であり得る。他の態様では、受信デバイスは局であり得、送信デバイスはアクセスポイントであり得る。さらに他の態様では、受信デバイスと送信デバイスとは、互いに直接通信し得る。
【００９６】
[0098]受信デバイスは、送信デバイスからワイヤレス信号を受信し得る（７０１）。たとえば、受信デバイスは、図２に示されたアンテナ２５０（１）〜２５０（ｎ）のうちの１つまたは複数およびトランシーバ２１１を使用してワイヤレス信号を受信し得る。いくつかの態様では、ワイヤレス信号は、（たとえば、図４Ａ〜図４Ｂおよび図５Ａ〜図５Ｃに関して上記で説明されたように）ＣＳＤインジケータおよび／またはＣＳＤフォーマット情報を含み得る。他の態様では、受信デバイスは、図２のＣＳＤテーブル２４２からＣＳＤ情報を検索することによって、送信デバイスがＣＳＤを採用するかどうかを決定し得る。
【００９７】
[0099]受信デバイスは、ワイヤレス信号の少なくとも一部分のための位相情報を決定し得る（７０２）。いくつかの態様では、位相情報は、図２に示された角度情報推定ソフトウェアモジュール２４６を実行することによって決定され得る。受信デバイスは、ＣＳＤインジケータがワイヤレス信号内に埋め込まれることを検出し得（７０３）、次いで、ワイヤレス信号を送信するためにＣＳＤが送信デバイスによって使用されるかどうかを決定するためにＣＳＤインジケータを復号し得る（７０４）。いくつかの態様では、受信デバイスは、図２のＣＳＤインジケータソフトウェアモジュール２４４を実行することによって、ＣＳＤインジケータを検出し、復号し得る。
【００９８】
[00100]７０４においてテストされたように、送信デバイスがワイヤレス信号を送信するためにＣＳＤを使用しなかった場合、受信デバイスは、決定された位相情報に少なくとも部分的に基づいてワイヤレス信号の到来角情報を推定し得る（７０５）。たとえば、受信デバイスは、ワイヤレスチャネルの第１のタップに基づいて到来角情報を推定し得る。いくつかの態様では、受信デバイスは、図２の角度情報推定ソフトウェアモジュール２４６を実行することによって、到来角情報を推定し得る。
【００９９】
[00101]逆に、７０４においてテストされたように、送信デバイスがワイヤレス信号を送信するためにＣＳＤを使用した場合、受信デバイスは、位相情報を決定する際にＣＳＤを補償するか、またはさもなければそれを考慮するために、この情報を適用し得る（７０６）。たとえば、受信デバイスは、ワイヤレス信号を送信するために送信デバイスによって使用されるＣＳＤフォーマットに少なくとも部分的に基づいて、ワイヤレスチャネルの第１のタップを決定し得る。別の例では、受信デバイスは、（たとえば、ＩＥＥＥ８０２．１１ａｚ規格に従って）ＣＳＤなしに送信されるパケットの一部分（たとえば、ポストアンブル）に基づいて位相情報を決定し得る。いくつかの態様では、位相情報は、図２の位相情報決定ソフトウェアモジュール２４５を実行することによって決定され得る。上記で説明されたように、送信デバイスによって使用されるＣＳＤフォーマットは、（たとえば、ＣＳＤフォーマット情報として）ワイヤレス信号内に与えられ得る。
【０１００】
[00102]次いで、受信デバイスは、位相情報に少なくとも部分的に基づいてワイヤレス信号の到来角情報を推定し得る（７０８）。たとえば、ワイヤレス信号の位相情報を決定する際にＣＳＤを補償することによって、受信デバイスは、ワイヤレス信号の到来角をより正確に推定し得る。いくつかの態様では、受信デバイスは、図２の角度情報推定ソフトウェアモジュール２４６を実行することによって、到来角情報を推定し得る。
【０１０１】
[00103]図８は、本開示のいくつかの態様による、ワイヤレス信号の到来角を推定するための例示的な動作８００を示すフローチャートである。例示的な動作８００は、送信デバイスから送信されたワイヤレス信号のＡｏＡ情報を推定するために受信デバイスによって実施されるものとして以下で説明されるが、例示的な動作８００は、たとえば、図１のＡＰ１１０、図１の局ＳＴＡ１〜ＳＴＡ４、または図２のワイヤレスデバイス２００を含む任意の好適なワイヤレスデバイスによって実施され得ることを理解されたい。いくつかの態様では、受信デバイスはアクセスポイントであり得、送信デバイスは、アクセスポイントに関連付けられたかまたは関連付けられていない局であり得る。他の態様では、受信デバイスは局であり得、送信デバイスはアクセスポイントであり得る。さらに他の態様では、受信デバイスと送信デバイスとは、互いに直接通信し得る。
【０１０２】
[00104]受信デバイスは、送信デバイスからワイヤレス信号を受信し得る（８０２）。たとえば、受信デバイスは、図２に示されたアンテナ２５０（１）〜２５０（ｎ）のうちの１つまたは複数およびトランシーバ２１１を使用してワイヤレス信号を受信し得る。いくつかの態様では、ワイヤレス信号は、（たとえば、図４Ａ〜図４Ｂおよび図５Ａ〜図５Ｃに関して上記で説明されたように）ＣＳＤインジケータおよび／またはＣＳＤフォーマット情報を含み得る。他の態様では、受信デバイスは、図２のＣＳＤテーブル２４２から対応するエントリを検索することによって、送信デバイスがＣＳＤを採用するかどうかを決定し得る。
【０１０３】
[00105]受信デバイスは、ワイヤレス信号が、送信デバイスによって使用されるアンテナの数および／または採用されるＣＳＤ位相シフト値を示すＣＳＤフォーマット情報を含んでいると決定し得る（８０４）。いくつかの態様では、受信デバイスは、図２のＣＳＤインジケータソフトウェアモジュール２４４を実行することによって、ワイヤレス信号が情報を含んでいると決定し得る。いくつかの実装形態では、ＣＳＤフォーマット情報は、受信された信号の少なくとも一部分中に与えられ得る。他の実装形態では、ＣＳＤフォーマット情報は、送信デバイスから（前に）受信された別のワイヤレス信号の少なくとも一部分中に与えられ得る。
【０１０４】
[00106]受信デバイスはまた、ワイヤレス信号に関連する空間ストリームの数を決定し得る（８０６）。いくつかの態様では、受信デバイスは、図２のＣＳＤインジケータソフトウェアモジュール２４４を実行することによって、空間ストリームの数を決定し得る。たとえば、空間ストリームの数は、ワイヤレス信号のＨＴ−ＳＩＧフィールドまたはＶＨＴ−ＳＩＧフィールドのうちの１つ中に含まれている情報に少なくとも部分的に基づいて決定され得る。送信アンテナの数および空間ストリームの数に少なくとも部分的に基づいて、受信された信号のためのＣＳＤフォーマットが決定され得る（８０８）。たとえば、受信デバイスは、図２のＣＳＤインジケータソフトウェアモジュール２４４を実行することによって、ＣＳＤフォーマットを識別し得る。
【０１０５】
[00107]受信デバイスは、次いで、決定されたＣＳＤフォーマットおよび／またはＣＳＤ位相シフト値に少なくとも部分的に基づいてワイヤレス信号の到来角情報を推定し得る（８１０）。たとえば、受信デバイスは、ワイヤレス信号の到来角をより正確に推定するために、受信された信号中のＣＳＤを補償し得る。いくつかの態様では、受信デバイスは、図２の角度情報推定ソフトウェアモジュール２４６を実行することによって、到来角情報を推定し得る。
【０１０６】
[00108]いくつかの場合には、フレームを実際に送信するのではなく、デバイスは、送信のためにフレームを出力するためのインターフェースを有し得る。たとえば、プロセッサは、バスインターフェースを介して、送信のために無線周波数（ＲＦ）フロントエンドにフレームを出力し得る。同様に、フレームを実際に受信するのではなく、デバイスが、別のデバイスから受信されたフレームを取得するためのインターフェースを有し得る。たとえば、プロセッサは、バスインターフェースを介して、受信のためにＲＦフロントエンドからフレームを取得（または受信）し得る。
【０１０７】
[00109]上記で説明された方法の様々な動作は、対応する機能を実施することが可能な任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【０１０８】
[00110]たとえば、いくつかの態様では、ワイヤレスチャネル上で送信デバイスからワイヤレス信号を受信するための手段は、トランシーバ（たとえば、図２のトランシーバ２１１）に対応し得る。ワイヤレス信号中のサイクリックシフトダイバーシティ（ＣＳＤ）の存在を決定するための手段は、プロセッサ（たとえば、図２のプロセッサ２３０によるＣＳＤインジケータソフトウェアモジュール２４４の実行）に対応し得る。ＣＳＤの存在に少なくとも部分的に基づいてワイヤレス信号の到来角を推定するための手段は、プロセッサ（たとえば、図２のプロセッサ２３０による角度情報推定ソフトウェアモジュール２４６の実行）に対応し得る。
【０１０９】
[00111]いくつかの態様によれば、そのような手段は、セクタ掃引プロシージャ中の送信のためのフレームを生成するための上記で説明された（たとえば、ハードウェアでまたはソフトウェア命令を実行することによって）様々なアルゴリズムを実装することによって、対応する機能を実施するように構成された処理システムによって実装され得る。
【０１１０】
[00112]本明細書で使用される「生成すること」という用語は、多種多様なアクションを包含する。たとえば、「生成すること」は、計算すること（calculating）、引き起こすこと（causing）、算出すること（computing）、作成すること（creating）、決定すること（determining）、処理すること（processing）、導出すること（deriving）、調査すること（investigating）、製作すること（making）、製造すること（producing）、与えること（providing）、生じること（giving rise to）、至ること（leading to）、結果をもたらすこと（resulting in）、ルックアップすること（たとえば、テーブル、データベースまたは別のデータ構造においてルックアップすること）、確認すること（ascertaining）などを含み得る。また、「生成すること」は、受信すること（たとえば、情報を受信すること）、アクセスすること（たとえば、メモリ中のデータにアクセスすること）などを含み得る。また、「生成すること」は、解決すること、選択すること、選定すること、確立することなどを含み得る。
【０１１１】
[00113]本明細書で使用される「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。また、「決定すること」は、測定すること、推定することなどを含み得る。
【０１１２】
[00114]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１１３】
[00115]本開示に関連して説明された方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【０１１４】
[00116]本明細書で開示される方法は、説明された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されていない限り、特定のステップおよび／またはアクションの順序および／または使用は、特許請求の範囲から逸脱することなく変更され得る。
【０１１５】
[00117]説明された機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、これらの回路は当技術分野でよく知られており、したがってこれ以上説明されない。
【０１１６】
[00118]プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【０１１７】
[00119]ハードウェア実装形態では、機械可読媒体は、プロセッサとは別個の処理システムの一部であり得る。しかしながら、当業者なら容易に諒解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体、またはそれの任意の部分は、キャッシュおよび／または汎用レジスタファイルがそうであり得るように、プロセッサに統合され得る。
【０１１８】
[00120]処理システムは、すべて外部バスアーキテクチャを介して他のサポート回路と互いにリンクされる、プロセッサ機能を提供する１つまたは複数のマイクロプロセッサと、機械可読媒体の少なくとも一部分を提供する外部メモリとをもつ汎用処理システムとして構成され得る。代替的に、処理システムは、プロセッサをもつＡＳＩＣ（特定用途向け集積回路）と、バスインターフェースと、（アクセス端末の場合は）ユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明された様々な機能を実施することができる回路の任意の組合せを用いて、実装され得る。当業者は、特定の適用例と、全体的なシステムに課される全体的な設計制約とに応じて、どのようにしたら処理システムについて説明された機能を最も良く実装し得るかを理解されよう。
【０１１９】
[00121]機械可読媒体はいくつかのソフトウェアモジュールを備え得る。ソフトウェアモジュールは、プロセッサによって実行されたとき、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【０１２０】
[00122]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【０１２１】
[00123]したがって、いくつかの態様は、本明細書で提示された動作を実施するためのコンピュータプログラム製品を備え得る。たとえば、そのようなコンピュータプログラム製品は、本明細書で説明された動作を実施するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１２２】
[00124]さらに、本明細書で説明された方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実施するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに提供するための任意の他の好適な技法が利用され得る。
【０１２３】
[00125]特許請求の範囲は、上記で示された厳密な構成および構成要素に限定されないことを理解されたい。上記で説明された方法および装置の配置、動作および詳細において、特許請求の範囲から逸脱することなく、様々な改変、変更および変形が行われ得る。
【図１】
2018538734.tif 000008
【図２】
2018538734.tif 000009
【図３Ａ】
2018538734.tif 000010
【図３Ｂ】
2018538734.tif 000011
【図３Ｃ】
2018538734.tif 000012
【図３Ｄ】
2018538734.tif 000013
【図４Ａ】
2018538734.tif 000014
【図４Ｂ】
2018538734.tif 000015
【図５Ａ】
2018538734.tif 000016
【図５Ｂ】
2018538734.tif 000017
【図５Ｃ】
2018538734.tif 000018
【図６】
2018538734.tif 000019
【図７】
2018538734.tif 000020
【図８】
2018538734.tif 000021
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
受信デバイスにおいて受信されたワイヤレス信号の角度情報を決定する方法であって、前記方法が、
ワイヤレスチャネル上で送信デバイスから前記ワイヤレス信号を受信することと、ここにおいて、前記ワイヤレス信号は、サイクリックシフトダイバーシティ（ＣＳＤ）なしのポストアンブルを有するパケットを含み、
前記ワイヤレス信号中のＣＳＤの存在を決定することと、ここにおいて、前記決定することが、前記ワイヤレス信号中のＣＳＤインジケータまたはＣＳＤフォーマット情報の存在を検出することを備え、
ＣＳＤの前記存在と前記ポストアンブルとに少なくとも部分的に基づいて前記ワイヤレス信号の到来角を推定することと
を備える方法。
【請求項２】
前記推定することが、
前記ＣＳＤに少なくとも部分的に基づいて前記ワイヤレスチャネルのインパルス応答の第１のタップを決定することと、
前記ワイヤレスチャネルの前記インパルス応答の前記第１のタップに基づいて、前記受信デバイスの複数のアンテナ間の前記ワイヤレス信号の位相差を決定することと
をさらに備える、請求項１に記載の方法。
【請求項３】
前記ＣＳＤフォーマット情報が、前記ワイヤレス信号を送信するために使用される送信アンテナの数またはＣＳＤ値のうちの少なくとも１つを示す、請求項１に記載の方法。
【請求項４】
前記ＣＳＤインジケータが、前記ワイヤレス信号に関連するフレームのプリアンブル、ミッドアンブル、ポストアンブル、またはヘッダのうちの少なくとも１つ内に埋め込まれる、請求項１に記載の方法。
【請求項５】
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、請求項１に記載の方法。
【請求項６】
前記ＣＳＤインジケータと前記ＣＳＤフォーマット情報とが、前記ワイヤレス信号に関連するフレームの同じフィールドまたはヘッダ内に埋め込まれる、請求項１に記載の方法。
【請求項７】
前記ＣＳＤインジケータと前記ＣＳＤフォーマット情報とが、前記ワイヤレス信号に関連するフレームの異なるフィールドまたは異なるヘッダ内に埋め込まれる、請求項１に記載の方法。
【請求項８】
受信デバイスであって、
１つまたは複数のプロセッサと、
前記１つまたは複数のプロセッサによって実行されたとき、前記受信デバイスに、
ワイヤレスチャネル上で送信デバイスからワイヤレス信号を受信することと、ここにおいて、前記ワイヤレス信号は、サイクリックシフトダイバーシティ（ＣＳＤ）なしのポストアンブルを有するパケットを含み、
前記ワイヤレス信号中のＣＳＤの存在を決定するために、前記ワイヤレス信号中のＣＳＤインジケータまたはＣＳＤフォーマット情報の存在を検出することと、
ＣＳＤの前記存在と前記ポストアンブルとに少なくとも部分的に基づいて前記ワイヤレス信号の到来角を推定することと
を行わせる命令を記憶するように構成されたメモリと
を備える、受信デバイス。
【請求項９】
前記到来角を推定することを行うための前記命令の実行が、前記受信デバイスに、
前記ＣＳＤに少なくとも部分的に基づいて前記ワイヤレスチャネルのインパルス応答の第１のタップを決定することと、
前記ワイヤレスチャネルの前記インパルス応答の前記第１のタップに基づいて、前記受信デバイスの複数のアンテナ間の前記ワイヤレス信号の位相差を決定することと
をさらに行わせる、請求項８に記載の受信デバイス。
【請求項１０】
前記ＣＳＤフォーマット情報が、前記ワイヤレス信号を送信するために使用される送信アンテナの数またはＣＳＤ値のうちの少なくとも１つを示す、請求項８に記載の受信デバイス。
【請求項１１】
前記ＣＳＤインジケータが、前記ワイヤレス信号に関連するフレームのプリアンブル、ミッドアンブル、ポストアンブル、またはヘッダのうちの少なくとも１つ内に埋め込まれる、請求項８に記載の受信デバイス。
【請求項１２】
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、請求項８に記載の受信デバイス。
【請求項１３】
前記ＣＳＤインジケータと前記ＣＳＤフォーマット情報とが、前記ワイヤレス信号に関連するフレームの同じフィールドまたはヘッダ内に埋め込まれる、請求項８に記載の受信デバイス。
【請求項１４】
前記ＣＳＤインジケータと前記ＣＳＤフォーマット情報とが、前記ワイヤレス信号に関連するフレームの異なるフィールドまたは異なるヘッダ内に埋め込まれる、請求項８に記載の受信デバイス。
【請求項１５】
命令を備える非一時的コンピュータ可読媒体であって、前記命令が、受信デバイスの１つまたは複数のプロセッサによって実行されたとき、前記受信デバイスに、
ワイヤレスチャネル上で送信デバイスからワイヤレス信号を受信することと、ここにおいて、前記ワイヤレス信号は、サイクリックシフトダイバーシティ（ＣＳＤ）なしのポストアンブルを有するパケットを含み、
前記ワイヤレス信号中のＣＳＤの存在を決定することと、ここにおいて、前記決定することが、前記ワイヤレス信号中のＣＳＤインジケータまたはＣＳＤフォーマット情報の存在を検出することを備え、
ＣＳＤの前記存在と前記ポストアンブルとに少なくとも部分的に基づいて前記ワイヤレス信号の到来角を推定することと
を備える動作を実施させる、非一時的コンピュータ可読媒体。
【請求項１６】
前記到来角を推定することを行うための前記命令の実行が、前記受信デバイスに、
前記ＣＳＤに少なくとも部分的に基づいて前記ワイヤレスチャネルのインパルス応答の第１のタップを決定することと、
前記ワイヤレスチャネルの前記インパルス応答の前記第１のタップに基づいて、前記受信デバイスの複数のアンテナ間の前記ワイヤレス信号の位相差を決定することと
を備える動作をさらに実施させる、請求項１５に記載の非一時的コンピュータ可読媒体。
【請求項１７】
前記ＣＳＤフォーマット情報が、前記ワイヤレス信号を送信するために使用される送信アンテナの数またはＣＳＤ値のうちの少なくとも１つを示す、請求項１５に記載の非一時的コンピュータ可読媒体。
【請求項１８】
前記ＣＳＤインジケータが、前記ワイヤレス信号に関連するフレームのプリアンブル、ミッドアンブル、ポストアンブル、またはヘッダのうちの少なくとも１つ内に埋め込まれる、請求項１５に記載の非一時的コンピュータ可読媒体。
【請求項１９】
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、請求項１５に記載の非一時的コンピュータ可読媒体。
【請求項２０】
前記ＣＳＤインジケータと前記ＣＳＤフォーマット情報とが、前記ワイヤレス信号に関連するフレームの同じフィールドまたはヘッダ内に埋め込まれる、請求項１５に記載の非一時的コンピュータ可読媒体。
【請求項２１】
前記ＣＳＤインジケータと前記ＣＳＤフォーマット情報とが、前記ワイヤレス信号に関連するフレームの異なるヘッダの異なるフィールド内に埋め込まれる、請求項１５に記載の非一時的コンピュータ可読媒体。
【請求項２２】
ワイヤレスチャネル上で送信デバイスからワイヤレス信号を受信するための手段と、ここにおいて、前記ワイヤレス信号は、サイクリックシフトダイバーシティ（ＣＳＤ）なしのポストアンブルを有するパケットを含み、
前記ワイヤレス信号中のＣＳＤインジケータまたはＣＳＤフォーマット情報の存在を検出することによって、前記ワイヤレス信号中のＣＳＤの存在を決定するための手段と、
ＣＳＤの前記存在と前記ポストアンブルとに少なくとも部分的に基づいて前記ワイヤレス信号の到来角を推定するための手段と
を備える、受信デバイス。
【請求項２３】
前記ワイヤレス信号の前記到来角を推定するための前記手段が、
前記ＣＳＤに少なくとも部分的に基づいて前記ワイヤレスチャネルのインパルス応答の第１のタップを決定するための手段と、
前記ワイヤレスチャネルの前記インパルス応答の前記第１のタップに基づいて、前記受信デバイスの複数のアンテナ間の位相差を決定するための手段と
を備える、請求項２２に記載の受信デバイス。
【請求項２４】
前記ＣＳＤフォーマット情報が、前記ワイヤレス信号を送信するために使用される送信アンテナの数またはＣＳＤ値のうちの少なくとも１つを示す、請求項２２に記載の受信デバイス。
【請求項２５】
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、請求項２２に記載の受信デバイス。
【請求項２６】
前記ＣＳＤインジケータが、前記ワイヤレス信号に関連するフレームのプリアンブル、ミッドアンブル、ポストアンブル、またはヘッダのうちの少なくとも１つ内に埋め込まれる、請求項２２に記載の受信デバイス。
【手続補正２】
【補正対象書類名】明細書
【補正対象項目名】０１２３
【補正方法】変更
【補正の内容】
【０１２３】
[00125]特許請求の範囲は、上記で示された厳密な構成および構成要素に限定されないことを理解されたい。上記で説明された方法および装置の配置、動作および詳細において、特許請求の範囲から逸脱することなく、様々な改変、変更および変形が行われ得る。
以下に本願発明の当初の特許請求の範囲に記載された発明を付記する。
［Ｃ１］
受信デバイスにおいて受信されたワイヤレス信号の角度情報を決定する方法であって、前記方法が、
ワイヤレスチャネル上で送信デバイスから前記ワイヤレス信号を受信することと、
前記ワイヤレス信号中のサイクリックシフトダイバーシティ（ＣＳＤ）の存在を決定することと、
ＣＳＤの前記存在に少なくとも部分的に基づいて前記ワイヤレス信号の到来角を推定することと
を備える方法。
［Ｃ２］
前記推定することが、
前記ＣＳＤに少なくとも部分的に基づいて前記ワイヤレスチャネルの第１のタップを決定することと、
前記ワイヤレスチャネルの前記第１のタップに基づいて、前記受信デバイスの複数のアンテナ間の前記ワイヤレス信号の位相差を決定することと
をさらに備える、Ｃ１に記載の方法。
［Ｃ３］
前記決定することが、
前記ワイヤレス信号中のＣＳＤインジケータまたはＣＳＤフォーマット情報の存在を検出すること
を備える、Ｃ１に記載の方法。
［Ｃ４］
前記ＣＳＤフォーマット情報が、前記ワイヤレス信号を送信するために使用される送信アンテナの数またはＣＳＤ値のうちの少なくとも１つを示す、Ｃ３に記載の方法。
［Ｃ５］
前記ＣＳＤインジケータが、前記ワイヤレス信号に関連するフレームのプリアンブル、ミッドアンブル、ポストアンブル、またはヘッダのうちの少なくとも１つ内に埋め込まれる、Ｃ３に記載の方法。
［Ｃ６］
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、Ｃ３に記載の方法。
［Ｃ７］
前記ＣＳＤインジケータと前記ＣＳＤフォーマット情報とが、前記ワイヤレス信号に関連するフレームの同じフィールドまたはヘッダ内に埋め込まれる、Ｃ３に記載の方法。
［Ｃ８］
前記ＣＳＤインジケータと前記ＣＳＤフォーマット情報とが、前記ワイヤレス信号に関連するフレームの異なるフィールドまたは異なるヘッダ内に埋め込まれる、Ｃ３に記載の方法。
［Ｃ９］
前記ワイヤレス信号が、ＣＳＤなしに送信されるポストアンブルを含むパケットを備え、前記到来角を推定することが、前記ポストアンブルにさらに基づく、Ｃ１に記載の方法。
［Ｃ１０］
受信デバイスであって、
１つまたは複数のプロセッサと、
前記１つまたは複数のプロセッサによって実行されたとき、前記受信デバイスに、
ワイヤレスチャネル上で送信デバイスからワイヤレス信号を受信することと、
前記ワイヤレス信号中のサイクリックシフトダイバーシティ（ＣＳＤ）の存在を決定することと、
ＣＳＤの前記存在に少なくとも部分的に基づいて前記ワイヤレス信号の到来角を推定することと
を行わせる命令を記憶するように構成されたメモリと
を備える、受信デバイス。
［Ｃ１１］
前記到来角を推定することを行うための前記命令の実行が、前記受信デバイスに、
前記ＣＳＤに少なくとも部分的に基づいて前記ワイヤレスチャネルの第１のタップを決定することと、
前記ワイヤレスチャネルの前記第１のタップに基づいて、前記受信デバイスの複数のアンテナ間の前記ワイヤレス信号の位相差を決定することと
をさらに行わせる、Ｃ１０に記載の受信デバイス。
［Ｃ１２］
前記ワイヤレス信号中のＣＳＤの前記存在を決定することを行うための前記命令の実行が、前記受信デバイスに、
前記受信されたワイヤレス信号中のＣＳＤインジケータまたはＣＳＤフォーマット情報の存在を検出すること
を行わせる、Ｃ１０に記載の受信デバイス。
［Ｃ１３］
前記ＣＳＤフォーマット情報が、前記ワイヤレス信号を送信するために使用される送信アンテナの数またはＣＳＤ値のうちの少なくとも１つを示す、Ｃ１２に記載の受信デバイス。
［Ｃ１４］
前記ＣＳＤインジケータが、前記ワイヤレス信号に関連するフレームのプリアンブル、ミッドアンブル、ポストアンブル、またはヘッダのうちの少なくとも１つ内に埋め込まれる、Ｃ１２に記載の受信デバイス。
［Ｃ１５］
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、Ｃ１２に記載の受信デバイス。
［Ｃ１６］
前記ＣＳＤインジケータと前記ＣＳＤフォーマット情報とが、前記ワイヤレス信号に関連するフレームの同じフィールドまたはヘッダ内に埋め込まれる、Ｃ１２に記載の受信デバイス。
［Ｃ１７］
前記ＣＳＤインジケータと前記ＣＳＤフォーマット情報とが、前記ワイヤレス信号に関連するフレームの異なるフィールドまたは異なるヘッダ内に埋め込まれる、Ｃ１２に記載の受信デバイス。
［Ｃ１８］
前記ワイヤレス信号が、ＣＳＤなしに送信されるポストアンブルを含むパケットを備え、前記到来角を推定することが、前記ポストアンブルにさらに基づく、Ｃ１０に記載の受信デバイス。
［Ｃ１９］
命令を備える非一時的コンピュータ可読媒体であって、前記命令が、受信デバイスの１つまたは複数のプロセッサによって実行されたとき、前記受信デバイスに、
ワイヤレスチャネル上で送信デバイスからワイヤレス信号を受信することと、
前記ワイヤレス信号中のサイクリックシフトダイバーシティ（ＣＳＤ）の存在を決定することと、
ＣＳＤの前記存在に少なくとも部分的に基づいて前記ワイヤレス信号の到来角を推定することと
を備える動作を実施させる、非一時的コンピュータ可読媒体。
［Ｃ２０］
前記到来角を推定することを行うための前記命令の実行が、前記受信デバイスに、
前記ＣＳＤに少なくとも部分的に基づいて前記ワイヤレスチャネルの第１のタップを決定することと、
前記ワイヤレスチャネルの前記第１のタップに基づいて、前記受信デバイスの複数のアンテナ間の前記ワイヤレス信号の位相差を決定することと
を備える動作をさらに実施させる、Ｃ１９に記載の非一時的コンピュータ可読媒体。
［Ｃ２１］
前記ワイヤレス信号中のＣＳＤの前記存在を決定することを行うための前記命令の実行が、前記受信デバイスに、
前記ワイヤレス信号中のＣＳＤインジケータまたはＣＳＤフォーマット情報の存在を検出すること
を備える動作を実施させる、Ｃ１９に記載の非一時的コンピュータ可読媒体。
［Ｃ２２］
前記ＣＳＤフォーマット情報が、前記ワイヤレス信号を送信するために使用される送信アンテナの数またはＣＳＤ値のうちの少なくとも１つを示す、Ｃ２１に記載の非一時的コンピュータ可読媒体。
［Ｃ２３］
前記ＣＳＤインジケータが、前記ワイヤレス信号に関連するフレームのプリアンブル、ミッドアンブル、ポストアンブル、またはヘッダのうちの少なくとも１つ内に埋め込まれる、Ｃ２１に記載の非一時的コンピュータ可読媒体。
［Ｃ２４］
前記ＣＳＤインジケータが、前記ワイヤレス信号に関連する高スループット（ＨＴ）フレーム、超高スループット（ＶＨＴ）フレーム、または高効率（ＨＥ）フレームのうちの少なくとも１つのプリアンブルシグナリングフィールド内に埋め込まれる、Ｃ２１に記載の非一時的コンピュータ可読媒体。
［Ｃ２５］
前記ワイヤレス信号が、ＣＳＤなしに送信されるポストアンブルを含むパケットを備え、前記到来角を推定することが、前記ポストアンブルにさらに基づく、Ｃ１９に記載の非一時的コンピュータ可読媒体。
［Ｃ２６］
ワイヤレスチャネル上で送信デバイスからワイヤレス信号を受信するための手段と、
前記ワイヤレス信号中のサイクリックシフトダイバーシティ（ＣＳＤ）の存在を決定するための手段と、
ＣＳＤの前記存在に少なくとも部分的に基づいて前記ワイヤレス信号の到来角を推定するための手段と
を備える、受信デバイス。
［Ｃ２７］
前記ワイヤレス信号の前記到来角を推定するための前記手段が、
前記ＣＳＤに少なくとも部分的に基づいて前記ワイヤレスチャネルの第１のタップを決定するための手段と、
前記ワイヤレスチャネルの前記第１のタップに基づいて、前記受信デバイスの複数のアンテナ間の位相差を決定するための手段と
を備える、Ｃ２６に記載の受信デバイス。
［Ｃ２８］
前記ワイヤレス信号中のＣＳＤの前記存在を決定するための前記手段が、
前記受信されたワイヤレス信号中のＣＳＤインジケータまたはＣＳＤフォーマット情報の存在を検出するための手段
を備える、Ｃ２６に記載の受信デバイス。
［Ｃ２９］
前記ＣＳＤフォーマット情報が、前記ワイヤレス信号を送信するために使用される送信アンテナの数またはＣＳＤ値のうちの少なくとも１つを示す、Ｃ２８に記載の受信デバイス。
［Ｃ３０］
前記ワイヤレス信号が、ＣＳＤなしに送信されるポストアンブルを含むパケットを備え、前記到来角を推定することが、前記ポストアンブルにさらに基づく、Ｃ２６に記載の受信デバイス。
【国際調査報告】
2018538734.tif 000022
2018538734.tif 000023